(57)【特許請求の範囲】
【請求項１】
サブフレームにおける２つ以上の物理的リソースブロック（Ｐｈｙｓｉｃａｌ  Ｒｅｓｏｕｒｃｅ  Ｂｌｏｃｋ（ＰＲＢ））の対のデータ領域を通じてユーザ端末へ、送受信ポイントにおいて、制御情報を転送する方法であって、
向上した制御チャネル要素（Ｅｎｈａｎｃｅｄ  Ｃｏｎｔｒｏｌ  Ｃｈａｎｎｅｌ  Ｅｌｅｍｅｎｔｓ（ＥＣＣＥｓ））を形成し、（ｉ）前記２つ以上のＰＲＢの対のそれぞれにおいてリソースエレメント（Ｒｅｓｏｕｒｃｅ  Ｅｌｅｍｅｎｔｓ（Ｒｅｓ））は、周波数優先方式により１６個の数により繰り返してインデックス（ｉｎｄｅｘ）され、（ｉｉ）同一のインデックスを有するリソースエレメント（Ｒｅｓ）は同一の向上したリソースエレメントグループ（Ｅｎｈａｎｃｅｄ  Ｒｅｓｏｕｒｃｅ  Ｅｌｅｍｅｎｔ  Ｇｒｏｕｐ（ＥＲＥＧ））に含まれ、（ｉｉｉ）前記ＥＣＣＥのそれぞれは、異なるＥＲＥＧインデックスを４または２のうちの１つにより割るとき、同一の余りを有する異なるＥＲＥＧインデックスに対応する４個または８個のＥＲＥＧを含み、（ｉｖ）前記ＥＣＣＥのそれぞれに含まれる前記ＥＲＥＧは２つ以上のＰＲＢの対に位置し、  前記ＥＣＣＥのうち、少なくとも１つを通じて制御情報を前記ユーザ端末に転送することを含み、
前記ＥＣＣＥのそれぞれを構成する前記ＥＲＥＧの数が前記ＰＲＢの対の数に満たない場合、前記ＥＣＣＥのそれぞれが、一定のインデックスの間隔でホッピングされることにより選択される複数のＰＲＢの対に含まれるＥＲＥＧにマッピングされるように、前記ＥＣＣＥを構成する、ことを含む、方法。
【請求項２】
前記一定のインデックス間隔は、前記ＥＲＥＧの数と前記ＰＲＢの対の数に基づいて決定されることを特徴とする、請求項１に記載の方法。
【請求項３】
前記２つ以上のＰＲＢの対は、分散型方式により形成された１つの向上した物理的ダウンリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ：ＥＰＤＣＣＨ）セットに含まれる、請求項１に記載の方法。
【請求項４】
前記ＥＣＣＥのそれぞれに対応するＥＲＥＧインデックスグループは、｛０，４，８，１２｝、｛１，５，９，１３｝、｛２，６，１０，１４｝、及び｛３，７，１１，１５｝のうちの１つとして選択される、請求項１に記載の方法。
【請求項５】
前記ＥＣＣＥのそれぞれに対応するＥＲＥＧインデックスグループは、｛０，２，４，６，８，１０，１２，１４｝及び｛１，３，５，７，９，１１，１３，１５｝のうちの１つとして選択される、請求項１に記載の方法。
【請求項６】
サブフレームにおける２つ以上の物理的リソースブロック（Ｐｈｙｓｉｃａｌ  Ｒｅｓｏｕｒｃｅ  Ｂｌｏｃｋ（ＰＲＢ））の対のデータ領域を通じて送受信ポイントから、ユーザ端末において、制御情報を受信する方法であり、
少なくとも１つの向上した制御チャネル要素（Ｅｎｈａｎｃｅｄ  Ｃｏｎｔｒｏｌ  Ｃｈａｎｎｅｌ  Ｅｌｅｍｅｎｔｓ（ＥＣＣＥｓ））を通じて無線信号を受信し、（ｉ）前記２つ以上のＰＲＢの対それぞれにおいてリソースエレメント（Ｒｅｓｏｕｒｃｅ  Ｅｌｅｍｅｎｔｓ（Ｒｅｓ））は周波数優先方式により１６個の数を用いて繰り返してインデックス（ｉｎｄｅｘ）され、（ｉｉ）同一のインデックスを有するリソースエレメント（Ｒｅｓ）は同一の向上したリソースエレメントグループ（Ｅｎｈａｎｃｅｄ  Ｒｅｓｏｕｒｃｅ  Ｅｌｅｍｅｎｔ  Ｇｒｏｕｐ（ＥＲＥＧ））に含まれ、（ｉｉｉ）前記ＥＣＣＥのそれぞれは、異なるＥＲＥＧインデックスを４または２のうちの１つにより割るとき、同一の余りを有する異なるＥＲＥＧインデックスに対応する４個または８個のＥＲＥＧを含み、（ｉｖ）前記ＥＣＣＥのそれぞれに含まれる前記ＥＲＥＧは２つ以上のＰＲＢの対に位置し、
前記受信した無線信号から前記制御情報を取得し、
前記ＥＣＣＥのそれぞれを構成する前記ＥＲＥＧの数が前記ＰＲＢの対の数に満たない場合、前記無線信号の受信に紐づいたＥＣＣＥのそれぞれが、一定のインデックスの間隔でホッピングされることにより選択される複数のＰＲＢの対に含まれるＥＲＥＧにマッピングされる、方法。
【請求項７】
前記一定のインデックス間隔は、前記ＥＲＥＧの数と前記ＰＲＢ対の数に基づいて決定されることを特徴とする、請求項６に記載の方法。
【請求項８】
前記２つ以上のＰＲＢの対は、分散型方式により形成された１つの向上した物理的ダウンリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ：ＥＰＤＣＣＨ）セットに含まれる、請求項６に記載の方法。
【請求項９】
前記ＥＣＣＥのそれぞれに対応するＥＲＥＧインデックスグループは、｛０，４，８，１２｝、｛１，５，９，１３｝、｛２，６，１０，１４｝、及び｛３，７，１１，１５｝のうちの１つとして選択される、請求項６に記載の方法。
【請求項１０】
前記ＥＣＣＥのそれぞれに対応するＥＲＥＧインデックスグループは、｛０，２，４，
６，８，１０，１２，１４｝及び｛１，３，５，７，９，１１，１３，１５｝のうちの１
つとして選択される、請求項６に記載の方法。
【請求項１１】
サブフレームにおいて２つ以上の物理的リソースブロック（Ｐｈｙｓｉｃａｌ  Ｒｅｓｏｕｒｃｅ  Ｂｌｏｃｋ（ＰＲＢ））の対のデータ領域を通じてユーザ端末へ制御情報を転送する送受信ポイントであって、
向上した制御チャネル要素（Ｅｎｈａｎｃｅｄ  Ｃｏｎｔｒｏｌ  Ｃｈａｎｎｅｌ  Ｅｌｅｍｅｎｔｓ（ＥＣＣＥｓ））を形成するように構成され、（ｉ）前記２つ以上のＰＲＢの対でリソースエレメント（Ｒｅｓｏｕｒｃｅ  Ｅｌｅｍｅｎｔｓ（Ｒｅｓ））はそれぞれ周波数優先方式により１６個の数を用いて繰り返してインデックス（ｉｎｄｅｘ）され、（ｉｉ）同一のインデックスを有するリソースエレメント（Ｒｅｓ）は同一の向上したリソースエレメントグループ（Ｅｎｈａｎｃｅｄ  Ｒｅｓｏｕｒｃｅ  Ｅｌｅｍｅｎｔ  Ｇｒｏｕｐ（ＥＲＥＧ））に含まれ、（ｉｉｉ）前記ＥＣＣＥのそれぞれは、異なるＥＲＥＧインデックスを４または２のうちの１つにより割るとき、同一の余りを有する異なるＥＲＥＧインデックスに対応する４個または８個のＥＲＥＧを含み、（ｉｖ）前記ＥＣＣＥのそれぞれに含まれる前記ＥＲＥＧは２つ以上のＰＲＢの対に位置する制御部と、前記ＥＣＣＥのうち、少なくとも１つを通じて制御情報を前記ユーザ端末に転送する送信部と、を含み、
前記制御部は、前記ＥＣＣＥのそれぞれを構成する前記ＥＲＥＧの数が前記ＰＲＢの対の数に満たない場合、前記ＥＣＣＥのそれぞれが、一定のインデックスの間隔でホッピングされることにより選択される複数のＰＲＢの対に含まれるＥＲＥＧにマッピングされるように、ＥＣＣＥを構成するために具現されている、送受信ポイント。
【請求項１２】
前記一定のインデックス間隔は、前記ＥＲＥＧの数と前記ＰＲＢ対の数に基づいて決定されることを特徴とする、請求項１１に記載の送受信ポイント。
【請求項１３】
前記２つ以上のＰＲＢの対は分散型方式により形成された１つの向上した物理的ダウンリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ：ＥＰＤＣＣＨ）セットに含まれる、請求項１１に記載の送受信ポイント。
【請求項１４】
前記ＥＣＣＥのそれぞれに対応するＥＲＥＧインデックスグループは、｛０，４，８，１２｝、｛１，５，９，１３｝、｛２，６，１０，１４｝、及び｛３，７，１１，１５｝のうちの１つとして選択される、請求項１１に記載の送受信ポイント。
【請求項１５】
前記ＥＣＣＥのそれぞれに対応するＥＲＥＧインデックスグループは、｛０，２，４，６，８，１０，１２，１４｝及び｛１，３，５，７，９，１１，１３，１５｝のうちの１つとして選択される、請求項１１に記載の送受信ポイント。
【請求項１６】
サブフレームにおいて２つ以上の物理的リソースブロック（Ｐｈｙｓｉｃａｌ  Ｒｅｓｏｕｒｃｅ  Ｂｌｏｃｋ（ＰＲＢ））の対のデータ領域を通じて送受信ポイントから制御情報を受信するユーザ端末であり、
少なくとも１つの向上した制御チャネル要素（Ｅｎｈａｎｃｅｄ  Ｃｏｎｔｒｏｌ  Ｃｈａｎｎｅｌ  Ｅｌｅｍｅｎｔｓ（ＥＣＣＥｓ））を通じて無線信号を受信し、（ｉ）前記２つ以上のＰＲＢの対それぞれのリソースエレメント（Ｒｅｓｏｕｒｃｅ  Ｅｌｅｍｅｎｔｓ（Ｒｅｓ））は周波数優先方式により１６個の数を用いて繰り返してインデックス（ｉｎｄｅｘ）され、（ｉｉ）同一のインデックスを有するリソースエレメント（Ｒｅｓ）は同一な向上したリソースエレメントグループ（Ｅｎｈａｎｃｅｄ  Ｒｅｓｏｕｒｃｅ  Ｅｌｅｍｅｎｔ  Ｇｒｏｕｐ（ＥＲＥＧ））に含まれ、（ｉｉｉ）前記ＥＣＣＥの各々は、異なるＥＲＥＧインデックスを４または２のうちの１つにより割るとき、同一の余りを有する異なるＥＲＥＧインデックスに対応する４個または８個のＥＲＥＧを含み、（ｉｖ）前記ＥＣＣＥのそれぞれに含まれる前記ＥＲＥＧは２つ以上のＰＲＢの対に位置する受信部と、前記受信した無線信号から前記制御情報を取得する制御部と、を含み
前記ＥＣＣＥのそれぞれを構成する前記ＥＲＥＧの数が前記ＰＲＢの対の数に満たない場合、前記無線信号の受信に紐づいたＥＣＣＥのそれぞれが、一定のインデックスの間隔でホッピングされることにより選択される複数のＰＲＢの対に含まれるＥＲＥＧにマッピングされる、ユーザ端末。
【請求項１７】
前記一定のインデックス間隔は、前記ＥＲＥＧの数と前記ＰＲＢ対の数に基づいて決定されることを特徴とする、請求項１６に記載の端末。
【請求項１８】
前記２つ以上のＰＲＢの対は、分散型方式により形成された１つの向上した物理的ダウンリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ：ＥＰＤＣＣＨ）セットに含まれる、請求項１６に記載の端末。
【請求項１９】
前記ＥＣＣＥの各々に対応するＥＲＥＧインデックスグループは、｛０，４，８，１２
｝、｛１，５，９，１３｝、｛２，６，１０，１４｝、及び｛３，７，１１，１５｝のう
ちの１つとして選択される、請求項１６に記載の端末。
【請求項２０】
前記ＥＣＣＥの各々に対応するＥＲＥＧインデックスグループは、｛０，２，４，６，
８，１０，１２，１４｝及び｛１，３，５，７，９，１１，１３，１５｝のうちの１つと
して選択される、請求項１６に記載の端末。
【発明の詳細な説明】
【技術分野】
【０００１】
本開示は、送受信ポイントにおいて制御情報を転送することと、ユーザ端末において制御情報を受信することに関する。特に、本開示は、データ領域に新たに導入（定義）されるダウンリンク制御チャネルを介してダウンリンク制御情報を受信するユーザ端末のための制御情報を転送する方法及び装置（例えば、送受信ポイント）に関する。さらに、本開示は、制御情報を受信する方法及び装置（例えば、ユーザ端末）に関する。
【背景技術】
【０００２】
無線通信システムは、多くの加入者に大容量のデータを転送するために設計された。しかしながら、制御領域の制限されたリソースのために、無線通信システムの容量を増加し難い。そのような制限を克服するためにデータ領域に位置するダウンリンク制御チャネルの使用はダウンリンク制御情報を転送するために必要とされ得る。
【０００３】
一方、既存の制御チャネル要素（Control Channel Elements（ＣＣＥｓ））は制御領域でダウンリンク制御チャネルの割り当てと関連している。向上した制御チャネル要素（Enhanced Control Channel Elements（ＥＣＣＥｓ））が、データ領域でダウンリンク制御チャネルを割り当てるために新しく定義された。したがって、新たに定義されたＥＣＣＳに関連するリソース割り当て方式が必要とされ得る。
【発明の概要】
【課題を解決するための手段】
【０００４】
本実施形態は、データ領域においてダウンリンク制御チャネル転送のためのＥＣＣＥ（Enhanced Control Channel Element）／ＥＲＥＧ（Enhanced Resource Element Group）マッピング方法を提供する。また、本実施形態は、分散型の向上した物理的ダウンリンク制御チャネル（Enhanced Physical Downlink Control Channel（ＥＰＤＣＣＨ））セットにおいてＥＣＣＥインデキシングを遂行する方法及び装置を提供する。
【０００５】
少なくとも１つの実施形態によれば、サブフレームにおける２つ以上の物理的リソースブロック（Ｐｈｙｓｉｃａｌ  Ｒｅｓｏｕｒｃｅ  Ｂｌｏｃｋ（ＰＲＢ））の対のデータ領域を通じてユーザ端末へ、送受信ポイントにおいて、制御情報を転送する方法が提供される。この方法は、向上した制御チャネル要素（Ｅｎｈａｎｃｅｄ  Ｃｏｎｔｒｏｌ  Ｃｈａｎｎｅｌ  Ｅｌｅｍｅｎｔｓ（ＥＣＣＥｓ））を形成し、（ｉ）上記２つ以上のＰＲＢの対のそれぞれにおいてリソースエレメント（Ｒｅｓｏｕｒｃｅ  Ｅｌｅｍｅｎｔｓ（Ｒｅｓ））は、周波数優先方式により１６個の数により繰り返してインデックス（ｉｎｄｅｘ）され、（ｉｉ）同一のインデックスを有するリソースエレメント（Ｒｅｓ）は同一の向上したリソースエレメントグループ（Ｅｎｈａｎｃｅｄ  Ｒｅｓｏｕｒｃｅ  Ｅｌｅｍｅｎｔ  Ｇｒｏｕｐ（ＥＲＥＧ））に含まれ、（ｉｉｉ）上記ＥＣＣＥのそれぞれは、異なるＥＲＥＧインデックスを４または２のうちの１つにより割るとき、同一の余りを有する異なるＥＲＥＧインデックスに対応する４個または８個のＥＲＥＧを含み、（ｉｖ）上記ＥＣＣＥのそれぞれに含まれる上記ＥＲＥＧは２つ以上のＰＲＢの対に位置し、上記ＥＣＣＥのうち、少なくとも１つを通じて制御情報を上記ユーザ端末に転送することを含み、上記ＥＣＣＥのそれぞれを構成する上記ＥＲＥＧの数が上記ＰＲＢの対の数に満たない場合、上記ＥＣＣＥのそれぞれが、一定のインデックスの間隔でホッピングされることにより選択される複数のＰＲＢの対に含まれるＥＲＥＧにマッピングされるように、上記ＥＣＣＥを構成する、ことを含む。
【０００６】
他の実施形態によれば、サブフレームにおける２つ以上の物理的リソースブロック（Ｐｈｙｓｉｃａｌ  Ｒｅｓｏｕｒｃｅ  Ｂｌｏｃｋ（ＰＲＢ））の対のデータ領域を通じて送受信ポイントから、ユーザ端末において、制御情報を受信する方法が提供される。この方法は、少なくとも１つの向上した制御チャネル要素（Ｅｎｈａｎｃｅｄ  Ｃｏｎｔｒｏｌ  Ｃｈａｎｎｅｌ  Ｅｌｅｍｅｎｔｓ（ＥＣＣＥｓ））を通じて無線信号を受信し、（ｉ）上記２つ以上のＰＲＢの対それぞれにおいてリソースエレメント（Ｒｅｓｏｕｒｃｅ  Ｅｌｅｍｅｎｔｓ（Ｒｅｓ））は周波数優先方式により１６個の数を用いて繰り返してインデックス（ｉｎｄｅｘ）され、（ｉｉ）同一のインデックスを有するリソースエレメント（Ｒｅｓ）は同一の向上したリソースエレメントグループ（Ｅｎｈａｎｃｅｄ  Ｒｅｓｏｕｒｃｅ  Ｅｌｅｍｅｎｔ  Ｇｒｏｕｐ（ＥＲＥＧ））に含まれ、（ｉｉｉ）上記ＥＣＣＥのそれぞれは、異なるＥＲＥＧインデックスを４または２のうちの１つにより割るとき、同一の余りを有する異なるＥＲＥＧインデックスに対応する４個または８個のＥＲＥＧを含み、（ｉｖ）上記ＥＣＣＥのそれぞれに含まれる上記ＥＲＥＧは２つ以上のＰＲＢの対に位置し、上記受信した無線信号から上記制御情報を取得し、上記ＥＣＣＥのそれぞれを構成する上記ＥＲＥＧの数が上記ＰＲＢの対の数に満たない場合、上記無線信号の受信に紐づいたＥＣＣＥのそれぞれが、一定のインデックスの間隔でホッピングされることにより選択される複数のＰＲＢの対に含まれるＥＲＥＧにマッピングされること、を含む。
【０００７】
他の実施形態によれば、サブフレームにおいて２つ以上の物理的リソースブロック（Ｐｈｙｓｉｃａｌ  Ｒｅｓｏｕｒｃｅ  Ｂｌｏｃｋ（ＰＲＢ））の対のデータ領域を通じてユーザ端末へ制御情報を転送する送受信ポイントが提供される。この送受信ポイントは、向上した制御チャネル要素（Ｅｎｈａｎｃｅｄ  Ｃｏｎｔｒｏｌ  Ｃｈａｎｎｅｌ  Ｅｌｅｍｅｎｔｓ（ＥＣＣＥｓ））を形成するように構成され、（ｉ）上記２つ以上のＰＲＢの対でリソースエレメント（Ｒｅｓｏｕｒｃｅ  Ｅｌｅｍｅｎｔｓ（Ｒｅｓ））はそれぞれ周波数優先方式により１６個の数を用いて繰り返してインデックス（ｉｎｄｅｘ）され、（ｉｉ）同一のインデックスを有するリソースエレメント（Ｒｅｓ）は同一の向上したリソースエレメントグループ（Ｅｎｈａｎｃｅｄ  Ｒｅｓｏｕｒｃｅ  Ｅｌｅｍｅｎｔ  Ｇｒｏｕｐ（ＥＲＥＧ））に含まれ、（ｉｉｉ）上記ＥＣＣＥのそれぞれは、異なるＥＲＥＧインデックスを４または２のうちの１つにより割るとき、同一の余りを有する異なるＥＲＥＧインデックスに対応する４個または８個のＥＲＥＧを含み、（ｉｖ）上記ＥＣＣＥのそれぞれに含まれる上記ＥＲＥＧは２つ以上のＰＲＢの対に位置する制御部と、上記ＥＣＣＥのうち、少なくとも１つを通じて制御情報を上記ユーザ端末に転送する送信部と、を含み、上記制御部は、上記ＥＣＣＥのそれぞれを構成する上記ＥＲＥＧの数が上記ＰＲＢの対の数に満たない場合、上記ＥＣＣＥのそれぞれが、一定のインデックスの間隔でホッピングされることにより選択される複数のＰＲＢの対に含まれるＥＲＥＧにマッピングされるように、ＥＣＣＥを構成するために具現されている。
【０００８】
他の実施形態によれば、サブフレームにおいて２つ以上の物理的リソースブロック（Ｐｈｙｓｉｃａｌ  Ｒｅｓｏｕｒｃｅ  Ｂｌｏｃｋ（ＰＲＢ））の対のデータ領域を通じて送受信ポイントから制御情報を受信するユーザ端末が提供される。このユーザ端末は、少なくとも１つの向上した制御チャネル要素（Ｅｎｈａｎｃｅｄ  Ｃｏｎｔｒｏｌ  Ｃｈａｎｎｅｌ  Ｅｌｅｍｅｎｔｓ（ＥＣＣＥｓ））を通じて無線信号を受信し、（ｉ）上記２つ以上のＰＲＢの対それぞれのリソースエレメント（Ｒｅｓｏｕｒｃｅ  Ｅｌｅｍｅｎｔｓ（Ｒｅｓ））は周波数優先方式により１６個の数を用いて繰り返してインデックス（ｉｎｄｅｘ）され、（ｉｉ）同一のインデックスを有するリソースエレメント（Ｒｅｓ）は同一な向上したリソースエレメントグループ（Ｅｎｈａｎｃｅｄ  Ｒｅｓｏｕｒｃｅ  Ｅｌｅｍｅｎｔ  Ｇｒｏｕｐ（ＥＲＥＧ））に含まれ、（ｉｉｉ）上記ＥＣＣＥのそれぞれは、異なるＥＲＥＧインデックスを４または２のうちの１つにより割るとき、同一の余りを有する異なるＥＲＥＧインデックスに対応する４個または８個のＥＲＥＧを含み、（ｉｖ）上記ＥＣＣＥの各々に含まれる上記ＥＲＥＧは２つ以上のＰＲＢの対に位置し得る。制御部は、上記受信した無線信号から上記制御情報を取得し得、上記ＥＣＣＥのそれぞれを構成する上記ＥＲＥＧの数が上記ＰＲＢの対の数に満たない場合、上記無線信号の受信に紐づいたＥＣＣＥのそれぞれが、一定のインデックスの間隔でホッピングされることにより選択される複数のＰＲＢの対に含まれるＥＲＥＧに位置し得る。
【図面の簡単な説明】
【０００９】
【図１】すくなくとも１つの実施形態が適用される無線通信システムの一例図。
【図２】ＬＴＥ（Long Term Evolution）またはＬＴＥ−Ａ（LTE-Advanced）システムにおけるダウンリンクリソースの構造の例であって、ノーマルＣＰ（normal cyclic prefix）の場合の１つのリソースブロックの対の図。
【図３】局所型ＥＰＤＣＣＨ転送及び分散型ＥＰＤＣＣＨ転送の２つのＥＰＤＣＣＨ転送タイプの図。
【図４】１つの転送アンテナポート（ＣＲＳ（Cell-specific Reference Signal）ポートＣＲＳポート０）に対してシンボル基準サイクリックシフト（cyclic shift）でＥＲＥＧインデキシングされたＰＲＢ（Physical Resource Block）の対のＲＥ（Resource Element）マッピングの図。
【図５】２つの転送アンテナポート（ＣＲＳポート０および１）に対してシンボル基準サイクリックシフトでＥＲＥＧインデキシングされたＰＲＢの対のＲＥマッピングの図。
【図６】４個の転送アンテナポート（ＣＲＳポート０、１、２および３）に対してシンボル基準サイクリックシフトでＥＲＥＧインデキシングされたＰＲＢの対のＲＥマッピングの図。
【図７】１つの転送アンテナポート（ＣＲＳポート０）に対してサイクリックシフト無しでＥＲＥＧインデキシングされたＰＲＢの対のＲＥマッピングの図。
【図８】２つの転送アンテナポート（ＣＲＳポート０および１）に対してサイクリックシフト無しでＥＲＥＧインデキシングされたＰＲＢの対のＲＥマッピングの図。
【図９】４個の転送アンテナポート（ＣＲＳポート０、１、２および３）に対してサイクリックシフト無しでＥＲＥＧインデキシングされたＰＲＢの対のＲＥマッピングの図。
【図１０】実施形態１に係る２つのＥＰＲＢで構成された分散型ＥＰＤＣＣＨセットでのＥＣＣＥ構成図。
【図１１】実施形態１に係る８個のＥＰＲＢで構成された分散型ＥＰＤＣＣＨセットでのＥＣＣＥ構成図。
【図１２】実施形態２−１に係る分散型ＥＰＤＣＣＨセットでのＥＣＣＥ構成図。
【図１３】実施形態２−２に係る分散型ＥＰＤＣＣＨセットでのＥＣＣＥ構成図。
【図１４】実施形態２−３に係る分散型ＥＰＤＣＣＨセットでのＥＣＣＥ構成図。
【図１５】少なくとも１つの実施形態に係る送受信ポイントにおける制御情報転送の方法を示すフローチャート。
【図１６】他の実施形態に係るユーザ端末の制御情報受信の方法を示すフローチャート。
【図１７】いくつかの実施形態に係る送受信ポイントの構成図。
【図１８】いくつかの実施形態に係るユーザ端末の構成図。
【発明を実施するための形態】
【００１０】
以下、本発明の例示的な実施形態を、添付の図面を参照して説明する。以下の説明において、同一な構成要素に対しては、たとえ他の図面上に表示されてもできる限り同一な符号を有するようにしている。また、本実施形態を説明するに当たって、関連した公知構成または機能に対する具体的な説明が本発明の要旨を曖昧にすることがあると判断される場合には、その詳細な説明は省略する。
【００１１】
少なくとも１つの実施形態での無線通信システムは、音声、パケットデータなどの多様な通信サービスを提供するために広く用いられる。無線通信システムは、ユーザ端末（User Equipment：ＵＥ）及び少なくとも１つの送受信ポイント（Transmission／Reception point）を含む。本明細書でのユーザ端末は、無線通信での端末を意味する包括的な概念である。したがって、ユーザ端末（ＵＥ）は、ＷＣＤＭＡ（登録商標）及びＬＴＥ、ハイスピードパケットアクセス（ＨＳＰＡ）などでのユーザ端末は勿論、ＧＳＭ（登録商標）でのＭＳ（Mobile Station）、ＵＴ（User Terminal）、ＳＳ（Subscriber Station）およびまたは無線機器（wireless device）などを全て含む概念として解釈されるべきである。
【００１２】
送受信ポイントは、ユーザ端末と通信する地点（station）と言い得る。そのような送受信ポイントは、基地局（Base Station：ＢＳ）またはセル（cell）、ノード−Ｂ（Node-B）、ｅＮＢ（evolved Node-B）、セクター（Sector）、サイト（Site）、ＢＴＳ（Base Transceiver System）、アクセスポイント（Access Point）、リレーノード（Relay Node）、ＲＲＨ（Remote Radio Head）、ＲＵ（Radio Unit）など、異なる用語として呼ばれ得る。
【００１３】
即ち、本明細書において、基地局、またはセル（cell）は、符号分割多元接続（ＣＤＭＡ）でのＢＳＣ（Base Station Controller）、ＷＣＤＭＡ（登録商標）のＮｏｄｅＢ、ＬＴＥでのｅＮＢ、またはセクター（サイト）などがカバーする一部領域または機能を示す包括的な意味として解釈されなければなない。したがって、送受信ポイント、基地局および／またはセルの概念は、メガセル、マクロセル、マイクロセル、ピコセル、フェムトセル、などの広汎な領域を含む。また、そのような概念は、リレーノード（relay node）、ＲＲＨ（Remote Radio Head）、ＲＵ（Radio Unit）など、通信の範囲を含み得る。
【００１４】
本明細書において、ユーザ端末と送受信ポイントは本明細書で記述される技術または技術的思想を具現することに使われる２つ送受信主体で、包括的な意味として使われて、特定に称される用語または単語により限定されない。ユーザ端末と送受信ポイントは、本発明で記述される技術または技術的思想を具現することに使われる２つ（UplinkまたはDownlink）の送受信主体で、包括的な意味として使われて、特定に称される用語または単語により限定されるものではない。ここで、アップリンク（Uplink：ＵＬ）送受信は、ユーザ端末により基地局にデータを送受信する方式を意味する。あるいは、ダウンリンク（Downlink：ＤＬ）送受信は、基地局によりユーザ端末にデータを送受信する方式を意味する。
【００１５】
無線通信システムに適用される多重接続技法には、ＣＤＭＡ（Code Division Multiple Access）、ＴＤＭＡ（Time Division Multiple Access）、ＦＤＭＡ（Frequency Division Multiple Access）、ＯＦＤＭＡ（Orthogonal Frequency Division Multiple Access）、ＯＦＤＭ−ＦＤＭＡ、ＯＦＤＭ−ＴＤＭＡ、ＯＦＤＭ−ＣＤＭＡなどの多様な多重接続技法を使用することができる。少なくとも１つの実施形態は、ＧＳＭ（登録商標）、ＷＣＤＭＡ（登録商標）、ＨＳＰＡを経てＬＴＥ及びＬＴＥ−advancedに進化する非同期無線通信と、ＣＤＭＡ、ＣＤＭＡ−２０００、及びＵＭＢに進化する同期式無線通信分野などのリソース割り当てに適用できる。本実施形態は、特定の無線通信分野に限定または制限されて解釈されてはならず、本発明の思想が適用できる全ての技術分野を含むものとして解釈されるべきである。
【００１６】
アップリンク転送及びダウンリンク転送においては、ＴＤＤ（Time Division Duplex）方式およびＦＤＤ（Frequency Division Duplex）方式の少なくとも１つが使用できる。ここにＴＤＤは、互いに異なる時間を使用してアップリンク／ダウンリンク転送をすることができる。ＦＤＤは、互いに異なる周波数を使用してアップリンク／ダウンリンク転送することができる。
【００１７】
また、対応する規格に準拠するＬＴＥまたはＬＴＥ−Ａシステムでは、１つの搬送波または搬送波対を基準にアップリンクとダウンリンクを構成し得る。アップリンクおよび／またはダウンリンクは、ＰＤＣＣＨ（Physical Downlink Control CHannel）、ＰＣＦＩＣＨ（Physical Control Format Indicator CHannel）、ＰＨＩＣＨ（Physical Hybrid ARQ Indicator CHannel）、ＰＵＣＣＨ（Physical Uplink Control CHannel）などの制御チャネルを介して制御情報を転送する。データは、ＰＤＳＣＨ（Physical Downlink Shared CHannel）、ＰＵＳＣＨ（Physical Uplink Shared CHannel）などのデータチャネルで構成されて転送される。
【００１８】
本明細書において、セル（cell）の用語は、送信ポイントまたは送受信ポイントから転送される信号のカバレッジまたは送受信ポイント（transmission pointまたはtransmission／reception point）から転送される信号のカバレッジを有する要素搬送波（component carrier）、その送受信ポイント自体を意味することができる。ここに、送受信ポイントの用語は、信号を転送／送信する送信ポイント（transmission point）、信号を受信する受信ポイント（reception point）、および、これらの結合（transmission／reception point）を意味する。
【００１９】
図１は、少なくとも１つの実施形態が適用される無線通信システムの一例を図示する。
【００２０】
図１を参照すると、無線通信システム１００は２つ以上の送受信ポイントが協力して信号を転送する協力型多重ポイント送受信システム（coordinated multi-point transmission／reception System：ＣｏＭＰシステム）、協力型多重アンテナ転送システム（coordinated multi-antenna transmission system）、および協力型多重セル通信システムの１つでありうる。ここに、ＣｏＭＰシステムは複数の送受信ポイントの間に協力して信号を転送することができる。ＣｏＭＰシステム１００は複数の送受信ポイント１１０、１１２と、少なくとも１つのユーザ端末（ＵＥ）１２０および１２２を含むことができる。
【００２１】
送受信ポイントは、図に示されるように、送受信ポイント（例えばｅＮＢ）１００及び送受信ポイント（例えばＲＲＨ）１１２のうちの１つでありうる。ここに、ｅＮＢ１１０は基地局またはマクロセル（またはマクロノード）でありうる。ＲＲＨ １１２は、ｅＮＢ １１０に光ケーブルまたは光ファイバーにより連結されて有線制御される、高い転送パワーを有するピコセルの少なくとも１つであり得る。また、ＲＲＨ１１２は、マクロセル領域内の高い転送パワーまたは低い転送パワーを有する少なくとも１つのピコセル（pico cell）でありうる。送受信ポイントｅＮＢ １１０とＲＲＨ １１２は、同一なセルＩＤを有することもでき、互いに異なるセルＩＤを有することもできる。
【００２２】
以下、ダウンリンク（downlink：ＤＬ）は送受信ポイント １１０および１１２からユーザ端末１２０への通信または通信経路を意味する。アップリンク（uplink：ＵＬ）は、ユーザ端末１２０から送受信ポイント １１０および１１２への通信または通信経路を意味する。ダウンリンクにおいて、送信機は送受信ポイント １１０および１１２の一部分で、受信機は、ユーザ端末１２０および１２２の一部分でありうる。アップリンクにおいて、送信機は、ユーザ端末１２０の一部分で、受信機は送受信ポイント１１０および１１２の一部分でありうる。
【００２３】
以下、ＰＵＣＣＨ、ＰＵＳＣＨ、ＰＤＣＣＨ及び／又はＰＤＳＣＨなどのチャネルを介して信号が送受信される状況をＰＵＣＣＨ、ＰＵＳＣＨ、ＰＤＣＣＨ及び／又はＰＤＳＣＨを転送または受信するという形態に表記することもある。
【００２４】
ｅＮＢ １１０は、ユーザ端末（例えば１２０および／または１２２）にダウンリンク転送を遂行する。ｅＮＢ１１０はユニキャスト転送（unicast transmission）のための主物理チャネルに対応するＰＤＳＣＨを転送する。また、ｅＮＢ（例えば１１０）は、ＰＤＳＣＨの受信に必要とするスケジューリングなどのダウンリンク制御情報及びアップリンクデータチャネル（例えば、ＰＵＳＣＨ）での転送のためのスケジューリング承認情報を転送するためのＰＤＣＣＨを転送することができる。以下、チャネルを介して信号を送受信することを、チャネルを送受信するとして記載することがある。
【００２５】
無線通信において、１つの無線フレーム（ラジオフレーム：radioframe）は１０個のサブフレーム（subframe）で構成され、１つのサブフレームは２つのスロット（slot）で構成される。無線フレームは１０ｍｓの長さを有し、サブフレームは１．０ｍｓの長さを有する。一般に、データ送信の基本単位はサブフレーム単位となり、サブフレーム単位でダウンリンクまたはアップリンクのスケジューリングがなされる。ノーマルサイクリックプレフィックス（normal cyclic prefix（ＣＰ））の場合、１つのスロットは７個のＯＦＤＭシンボルを含む。拡張サイクリックプレフィックス（extended cyclic prefix（拡張ＣＰ））の場合、１つのスロットは、６個のＯＦＤＭ（Orthogonal Frequency Division Modulation）シンボルを含む。
【００２６】
無線通信で周波数領域は、例えば１５ｋＨｚ間隔の副搬送波（subcarrier）単位で構成できる。
【００２７】
ダウンリンクにおいて、時間−周波数リソースはリソースブロック（Resource Blocks：ＲＢｓ）単位で決定できる。リソースブロックは時間軸には１つのスロット、周波数軸には１８０ｋＨｚ（１２個の副搬送波）で構成できる。時間軸に１つの副搬送波（２つのスロット）、周波数軸に１２個の副搬送波からなるリソースエレメントは、リソースブロックの対（Resource Block Pair：ＲＢＰ）と呼ばれることができる。システム帯域幅によってリソースブロックの総個数は変動する。
【００２８】
リソースエレメント（Resource Element：ＲＥ）は時間軸には１つのＯＦＤＭシンボル、そして周波数軸には１つの副搬送波で構成できる。１つのリソースブロックの対は１４×１２個（ノーマルＣＰの場合）または１２×１２個（拡張ＣＰの場合）のリソースエレメントを含むことができる。
【００２９】
図２は、ＬＴＥ（Long Term Evolution）またはＬＴＥ−Ａ（LTE-Advanced）システムにおけるダウンリンクリソースの構造の例であって、ノーマルＣＰ（normal cyclic prefix）の場合で１つのリソースブロックの対を図示する。
【００３０】
図２を参照すると、ノーマルＣＰの場合で１つのリソースブロックの対は１４個のＯＦＤＭシンボル（ｌ＝０，１，．．．，１３）と１２個の副搬送波（ｋ＝０，．．．，１１）で構成される。図２に図示された実施形態において、１つのリソースブロックの対は１４個のＯＦＤＭシンボルを含むことができる。１４個のシンボルのうち、前方の３個のＯＦＤＭシンボルからなる領域（ｌ＝０〜２）はＰＣＦＩＣＨ（Physical Control Format Information CHannel）、ＰＨＩＣＨ（Physical Hybrid ARQ Indicator CHannel）、ＰＤＣＣＨ（Physical Downlink Control CHannel）などの制御チャネルのために割り当てられる制御領域２１０でありうる。残りの領域（ｌ＝３〜１３）はＰＤＳＣＨ（Physical Downlink Shared CHannel）のようなデータチャネルのために割り当てられるデータ領域２２０でありうる。図２で、制御領域２１０のために３個のＯＦＤＭシンボルが割り当てられることと図示されたが、実施形態によっては、制御領域２１０のために１から４個のＯＦＤＭシンボルが割り当てられることが可能である。制御領域２１０のＯＦＤＭシンボルのサイズ情報はＰＣＦＩＣＨを介して伝達できる。ここに、サイズ情報はＯＦＤＭシンボルの個数に設定できる。
【００３１】
ＰＤＣＣＨは、システム全帯域に亘って転送されることができ、ＰＤＳＣＨは、リソースブロックに基づいて転送できる。ユーザ端末は該当するＰＤＣＣＨ（例えば、ユーザ端末に割り当てられたＰＤＣＣＨ）を確認し、対応するＰＤＣＣＨにデータ（例えば、ユーザ端末のためのデータ）がない場合、マイクロスリープモード（micro sleep mode）に入ることができる。したがって、データ領域１２０において、ユーザ端末の電力消費を低減することができる。
【００３２】
図２を参照すると、ダウンリンクの特定のリソースエレメントには参照信号（Reference Signal）がマッピングできる。即ち、共通参照信号（またはセル−特定の参照信号（Common Reference Signal or Cell-specific Reference Signal：ＣＲＳ）２３０、復調参照信号（ＤＭ−ＲＳ）（またはＵＥ−特定の参照信号（DeModulation  Reference  Signal  or  UE-specific  Reference  Signal））２３２および２３４、チャネル状態情報参照信号（Channel Status Information Reference Signal：ＣＳＩ−ＲＳ）などがダウンリンクを通じて転送できる。図２では説明の便宜のためにＣＲＳ２３０及びＤＭ−ＲＳ ２３２および２３４のみ図示される。
【００３３】
制御領域２１０にあるＣＲＳ ２３０は、ＰＤＣＣＨの復号のためのチャネル推定時に利用できる。データ領域２２０にあるＣＲＳ ２３０は、ダウンリンクチャネル測定のために利用できる。データ領域２２０のデータ復号のためのチャネル推定はＤＭ−ＲＳ ２３２および／または２３４を用いて遂行できる。ＤＭ−ＲＳ ２３２および２３４は、直交符号を用いて多数のレイヤ（layer）に対する参照信号として多重化される。例えば、４個のレイヤ転送の場合に、長さ２の直交符号を時間軸に連続した２つの参照信号リソースエレメントに適用して各参照信号グループに対して２つの相異する参照信号を多重化することができる。８個のレイヤ転送の場合に、長さ４の直交信号を時間軸に分散された４個の参照信号リソースエレメントに適用して各参照信号グループに対して４個の相異する参照信号を多重化することができる。
【００３４】
１つのレイヤ転送または２つのレイヤ転送の場合に、１つのＤＭ−ＲＳグループ（例えば、ＤＭ−ＲＳグループ１（２３２））のみを用いて各レイヤの参照信号を転送できるため、他の１つのＤＭ−ＲＳグループ（例えば、ＤＭ−ＲＳグループ２（２３４））をデータ転送に用いることができる。各レイヤに該当するＤＭ−ＲＳは該当レイヤに適用されたプリコーディングを同一に適用して送信される。したがって、送信端（例えば、基地局）で適用されたプリコーディングの情報無しで受信側（例えば、ユーザ端末）は、データの復号が可能になる。
【００３５】
無線通信システムにおける制限されたリソースを効率的に用いるために、制御チャネルが必要となる。しかしながら、制御領域２１０のリソースは、システムのオーバーヘッド（overhead）となり、データ転送のために用いられるデータ領域２２０のリソースを減少させる。ＯＦＤＭ基盤のＬＴＥシステムでは１つのリソースブロックの対（resource-block pair（ＲＢＰ））が１４個または１２個のＯＦＤＭシンボルで構成できる。これらのＯＦＤＭシンボルうち、制御領域２１０のために最大３個のＯＦＤＭシンボルを用いて、残りのＯＦＤＭシンボルをデータ領域２２０のために用いる。一方、より多いユーザへのデータ転送が可能なＬＴＥ−Ａシステムでは、従来の制限された制御領域（例えば２１０）のリソースにより、システム容量増大が制限される。したがって、制御チャネルリソースを増加するために、データ領域２２０で空間分割多重化技法などを用いる多重ユーザの制御チャネル送受信方法が必要となり得る。言い換えると、そのような方法はデータ領域２２０で制御チャネルを送受信するものである。例えば、データ領域２２０で転送される制御チャネルは拡張されたＰＤＣＣＨまたは向上したＰＤＣＣＨ（ＥＰＤＣＣＨ）と呼ばれることができるが、これに制限されるものではない。
【００３６】
既存の（または現存の）３ＧＰＰ ＬＴＥ／ＬＴＥ−Ａ ｒｅｌ−８／９／１０システムでは、ダウンリンクＤＣＩの受信のために全てのユーザ端末は、ダウンリンクサブフレームの最初から１番目、２番目または３番目のＯＦＤＭシンボル（システム帯域＞１０ＰＲＢの場合）、または最初から２番目、３番目または４番目のＯＦＤＭシンボル（システム帯域≦１０ＰＲＢ）を通じて転送されるＰＤＣＣＨ（Physical Downlink Control Channel）に依存する。任意のユーザ端末のためのＰＤＣＣＨ転送の基本単位は制御チャネル要素（ＣＣＥ：Control Channel Element）でありうる。ここに、１つのＣＣＥは９個のリソースエレメントグループ（ＲＥＧ、Resource Element Group）で構成できる。１つのＲＥＧは周波数軸で４個の連続的なリソースエレメント（ＲＥ）で構成できる。特に、１つのＲＥＧの４個の連続的なリソースエレメント（ＲＥ）は、対応するダウンリンクサブフレームのＰＤＣＣＨ領域に存在する異なる物理チャネル（例えば、ＰＣＦＩＣＨ、ＰＨＩＣＨ）及び物理信号（例えばＣＲＳ）を転送するリソースエレメント（ＲＥ：Resource Element）を除いた残りのリソースエレメント（ＲＥ）のうちから選択できる。
【００３７】
任意のユーザ端末のためのＥＰＤＣＣＨリソースマッピングを行うために、従来のＰＤＣＣＨのＲＥＧ、及びＣＣＥに対応するＥＲＥＧ（Enhanced REG）またはＥＣＣＥ（Enhanced CCE）をＥＰＤＣＣＨに導入または定義することができる。
【００３８】
前述したレガシーＰＤＣＣＨとは異なり、３ＧＰＰ ＬＴＥ／ＬＴＥ−Ａrelease１１、及びその後続に関連するシステムで新しく導入（定義）されるＥＰＤＣＣＨは、ダウンリンクサブフレームまたはスペシャルサブフレームのＤｗＰＴＳ（Downlink Pilot Time Slot）のＰＤＳＣＨ領域に割り当てられる。また、３ＧＰＰＬＴＥ／ＬＴＥ−Ａ release１１及びその後続は、対応するセルがＥＰＤＣＣＨを介してＤＣＩ（Downlink Control Information）を受信するように設定されたユーザ端末のためにＫ個のＥＰＤＣＣＨセットを割り当てるように定義する。ここで、ＥＰＤＣＣＨセットのそれぞれはＭ個のＰＲＢのグループ（a group of ‘M’ PRBs）で構成できる。Ｍは１以上の自然数であり、ダウンリンク帯域に関連するＰＲＢの個数の以下である。Ｋの最大値は２、３、４、及び６のうちの１つに選択できる。また、任意のユーザ端末のために決定された各々のＥＰＤＣＣＨセットは互いに異なるＭ値を有することができる。
【００３９】
また、それぞれのＥＰＤＣＣＨセットは分散型（distributed type）または局所型（localized type）のうちの１つに決定されることができ、決定されたタイプによってシグナリングできる。
【００４０】
ＥＰＤＣＣＨ転送タイプによってＥＰＤＣＣＨセットは局所型（localized type）、または分散型（distributed type）でありうる。前述したＭは局所型で１または２ｎ（ｎ＝１，２，３，４，５）でありうるが、これに制限されるものではない。一方、Ｍは分散型で２、４、８、１６でありうるが、これに制限されるものではない。
【００４１】
図３は、局所型ＥＰＤＣＣＨ転送（localized EPDCCH transmission）及び分散型ＥＰＤＣＣＨ転送（distributed EPDCCH transmission）の２つのＥＰＤＣＣＨ転送タイプを図示している。
【００４２】
ダウンリンクＰＲＢ（Physical Resource Block）の個数をＮＰＲＢとする。ここで、ダウンリンクＰＲＢは通信事業者により構成された任意のセルでサポートするシステム帯域を構成することができる。この場合、図３ａ及び３ｂに示すように、ＥＰＤＣＣＨの転送タイプは、局所型ＥＰＤＣＣＨ転送及び分散型ＥＰＤＣＣＨ転送の１つに対応し得る。したがって、ＥＣＣＥ構造及び１つのＥＣＣＥを構成するＲＥ（Resource Element）の数はそれぞれのＥＰＤＣＣＨ転送タイプによって変わることがある。代りに、ＥＣＣＥ構造及び１つのＥＣＣＥを構成するＲＥ（Resource Element）の数はＥＰＤＣＣＨ転送タイプに関わらず同一であることもある。
【００４３】
図３ａに図示した局所型ＥＰＤＣＣＨ転送は、１つのＥＣＣＥが１つのリソースブロックの対（例えば１つのＰＲＢの対）に位置して転送されることを意味する。一方、図３ｂに図示した分散型ＥＰＤＣＣＨ転送は、１つのＥＣＣＥが少なくとも２つのリソースブロックの対（例えば、２つのＰＲＢの対）に位置して転送されることを意味する。
【００４４】
一方、１つのユーザ端末のためにＫ個のＥＰＤＣＣＨセットが割り当てることができる。この場合に、それぞれのＥＰＤＣＣＨセットは分散型タイプまたは局所型タイプであるので、１つのユーザ端末のためにＫＬ個の局所型タイプのＥＰＤＣＣＨとＫＤ個の分散型タイプのＥＰＤＣＣＨが割り当てできる。即ち、ＫＬとＫＤとの和がＫになることができる（ＫＬ＋ＫＤ＝Ｋ）。
【００４５】
新しく定義されるＥＲＥＧ／ＥＣＣＥの場合、総数１６個のＥＲＥＧ（ＥＲＥＧ＃０からＥＲＥＧ ＃１５）はＥＰＤＣＣＨセットそれぞれを構成する１つのＰＲＢの対に含まれることができる。特に、１つのＰＲＢの対は、（i）フレーム構造タイプ（frame structure type）、（ii）サブフレーム設定（subframe configuration）、（iii）ＣＰ（Cyclic Prefix）の長さ、（iv）レガシーＰＤＣＣＨ制御領域のサイズ、及び／又は（v）ＤＭ−ＲＳを除いた残りの参照信号（例えば、ＣＲＳ、ＣＳＩ−ＲＳ、ＰＲＳなど）などの存否に関わらず、総数１６個のＥＲＥＧを含むことができる。
【００４６】
具体的に、ノーマルサイクリックプレフィックス（ＣＰ）の場合、あるＥＰＤＣＣＨセットを構成する１つのＰＲＢの対はトータルで１６８リソースエレメント（ＲＥｓ）（例えば、１２×１４＝１６８個のＲＥ）を含むことができる。この場合に、ＥＲＥＧインデキシングは１６８個のリソースエレメント（ＲＥｓ）からＤＭ−ＲＳのための２４個のリソースエレメント（ＲＥ）を除いた残りのエレメント（ＲＥ）（例えば、１４４個のＲＥ）に対して遂行できる。言い換えると、ＥＲＥＧインデキシングは周波数優先方式（frequency first and then time manner）により１６個の数（例えば、０，１，２，．．．，１５）を使用して遂行できる。したがって、リソースエレメント（ＲＥｓ）は０から１５までナンバリング（インデキシング）できる。同様に、拡張サイクリックプレフィックス（ＣＰ）の場合も、あるＥＰＤＣＣＨセットを構成する１つのＰＲＢの対はトータルで１４４リソースエレメント（ＲＥ）（例えば、１２×１２＝１４４個のＲＥ）を含むことができる。この場合に、ＥＲＥＧインデキシングは１４４個のリソースエレメント（Ｒｅｓ）からＤＭ−ＲＳのための１６個のリソースエレメント（ＲＥ）を除いた残りのリソースエレメント（ＲＥ）（例えば、１２８個のＲＥ）に対して遂行できる。言い換えると、ＥＲＥＧインデキシングは周波数優先方式（frequency first and then time manner）により１６個の数（例えば、０，１，２，．．．，１５）を使用して遂行できる。したがって、対応するリソースエレメント（ＲＥｓ）は０から１５までナンバリング（インデキシング）できる。
【００４７】
ノーマルサイクリックプレフィックス（ＣＰ）に対応するダウンリンクサブフレーム（normal DL subframe）において、あるＥＰＤＣＣＨセットを構成する１つのＰＲＢの対に対してＥＲＥＧインデキシングと関連した実施形態は、以下の図４から図９に図示されている。図４から図９に斜線で表示されていながら番号が記載されていない部分はＤＭ−ＲＳのために使われるリソースエレメント（ＲＥ）を示し、格子または斜線で表示されていながら番号が記載されている部分はＣＲＳ転送のために使われるリソースエレメント（ＲＥ）を示す。
【００４８】
図４は、１つの転送アンテナポート（例えば、ＣＲＳポート０）に対してシンボル基準サイクリックシフトでＥＲＥＧインデキシングされた物理リソースブロック（ＰＲＢ）の対のリソースエレメント（ＲＥ）マッピングを図示している。
【００４９】
図４を参照すると、ＥＲＥＧは、０から１５までを周波数優先方式（すなわち、周波数を優先し次に時間とする方式）によりナンバリング（例えば、インデキシング）できる。図４に図示された実施形態において、インデキシングはシンボル基準サイクリックシフトを使用して遂行できる。より詳しくは、図４に示すように、最初のシンボル４００のリソースエレメント（ＲＥ）が１１（すなわち、インデックス１１）としてインデキシングされた後、２番目シンボル４１０の隣接したリソースエレメント（ＲＥ）が１２（すなわち、インデックス１２）として連続してインデキシングされている。同一な方式により２番目シンボル４２０のリソースエレメント（ＲＥ）が７（すなわち、インデックス７）としてインデキシングされた後、３番目シンボル４３０の隣接したリソースエレメント（Ｒｅ）が連続して８（すなわち、インデックス８）としてインデキシングされている。
【００５０】
図４に図示された物理リソースブロック（ＰＲＢ）の対はＣＲＳポート０と関連することができる。図４に示すように、ＣＲＳが８個のリソースエレメント（ＲＥ）にマッピングできる。他の実施形態において、ＣＲＳは周波数移動（frequency shifts）によって他の位置にあるリソースエレメント（Ｒｅｓ）にマッピングされることもできる。
【００５１】
図５は、２つの転送アンテナポート（例えば、ＣＲＳポート０および１）に対してシンボル基準サイクリックシフトでＥＲＥＧインデキシングされた物理リソースブロック（ＰＲＢ）の対のリソースエレメント（ＲＥ）マッピングを図示している。図６は、４個の転送アンテナポート（例えば、ＣＲＳポート０、１、２および３）に対してシンボル基準サイクリックシフトでＥＲＥＧインデキシングされたＰＲＢの対のＲＥマッピングを図示している。
【００５２】
図５及び図６に図示されたリソースエレメント（ＲＥ）は、図４に示すのと同じようにして、シンボル基準サイクリックシフトでインデキシングできる。図５でＣＲＳがＣＲＳポート０および１に対し、図４に図示されたＣＲＳに対するＲＥだけでなく、ＣＲＳは、８個の追加的なＲＥにマッピングできる。図６でＣＲＳがＣＲＳポート０、１、２および３に対し、図５に図示されたＣＲＳに対するＲＥだけでなく、ＣＲＳは、８個の追加的なＲＥにマッピングできる。
【００５３】
ＯＦＤＭシンボルごとにＥＲＥＧインデキシングを行う時、図４から図６はサイクリックシフト（循環移動：cyclic shift）を適用した実施形態を図示し、図７から図９は、サイクリックシフトを適用しない実施形態を図示している。
【００５４】
図７は１つの転送アンテナポート（例えば、ＣＲＳポート０）に対し、サイクリックシフト無しでＥＲＥＧインデキシングされたＰＲＢの対のＲＥマッピングを図示している。図８は２つの転送アンテナポート（例えば、ＣＲＳポート０および１）に対し、サイクリックシフト無しでＥＲＥＧインデキシングされたＰＲＢの対のＲＥマッピングを図示している。図９は４個の転送アンテナポート（例えば、ＣＲＳポート０、１、２および３）に対し、サイクリックシフト無しでＥＲＥＧインデキシングされたＰＲＢの対のＲＥマッピングを図示している。
【００５５】
図７から図９で、ＣＲＳが図４から図６とおなじようにマッピングできる。但し、使用するインデキシングする方式は異なっていてもよい。
【００５６】
図７を代表的に参照すると、ＥＲＥＧは０から１５までの数を周波数優先方式（すなわち、周波数を優先し次に時間とする方式（a frequency first and then time manner））によりナンバリング（例えば、インデキシング）できる。図７に図示された実施形態において、インデキシングはシンボル基準サイクリックシフト無しで遂行できる。より詳しくは、図７に示すように、最初のシンボル７００のリソースエレメント（ＲＥ）が１１（すなわち、インデックス１１）としてインデキシングされた後、次の順番である２番目シンボル７１０のリソースエレメント（ＲＥ）が１２（すなわち、インデックス１２）として連続してインデキシングされている。ここで、１２としてインデキシングされたＲＥ７１０は１１としてインデキシングされたＲＥ ７００と隣接しない。同様の方式により２番目シンボル７２０のリソース（ＲＥ）が７（すなわち、インデックス７）としてインデキシングされた後、次の順番である３番目シンボル７３０の隣接したリソースエレメント（Ｒｅ）が８（すなわち、インデックス８）として連続してインデキシングできる。ここで、８としてインデキシングされたＲＥ７３０は７としてインデキシングされたＲＥ ７００と隣接しない。
【００５７】
図４から図９で同一のインデックスを有するＲＥは１つのＥＲＥＧにグルーピングされる。したがって、１つのＰＲＢの対に対して総数１６個のＥＲＥＧ（例えば、ＥＲＥＧ＃０からＥＲＥＧ ＃１５）が割り当てできる。図４から図９は、ノーマルＣＰのＰＲＢの対と関連した実施形態を図示している。つまり、ノーマルＣＰの１つのＰＲＢの対が、総数１６このＥＲＥＧを含むことができる。同様に、拡張ＣＰのＰＲＢ対に対しても総数１６個のＥＲＥＧ（ＥＲＥＧ＃０からＥＲＥＧ ＃１５）が割り当てできる。
【００５８】
図４から図９に従って１つのＰＲＢの対で設定されたＥＲＥＧ（ＥＲＥＧ ＃０，ＥＲＥＧ ＃１，．．．，ＥＲＥＧ ＃１５）それぞれは各々９個のＲＥで構成できる。しかしながら、図４から図９に示すように、ＥＲＥＧごとに実際にＥＰＤＣＣＨ転送のために使用できるＲＥの数は転送アンテナポート数（または、ＣＲＳポートナンバー）とレガシーＰＤＣＣＨサイズによって変わり得る。
【００５９】
図４をまた参照すると、インデックス ＃０に対応するＲＥは総数９個である。しかしながら、最初の３個のＯＦＤＭシンボル（ｌ＝０〜２）と関連した領域が制御領域として決定される場合、この制御領域のＲＥはＥＰＤＣＣＨを転送できず、ＥＰＤＣＣＨ転送のために使用できるＲＥから除外される。したがって、ＥＲＥＧ＃０は総６個の使用可能ＲＥで構成される。インデックス ＃１に対応するＥＲＥＧの場合、＃１としてインデックスされたＲＥは総数９個である。この場合、（i）が制御領域（例えば、最初の３個のＯＦＤＭシンボル（ｌ＝０〜２）と関連した領域）にＲＥと、（ii）ＣＲＳがマッピングされるＲＥ（例えば、図４で４４０と表示されたＲＥ）は除外される。したがって、ＥＲＥＧ ＃１は総数５個の使用可能ＲＥで構成できる。
【００６０】
ＥＰＤＣＣＨ転送の基本単位になるＥＣＣＥそれぞれは、サブフレーム型及びＣＰの長さによってＮ個のＥＲＥＧを含み得る。具体的に、このＮの値は以下のように決定できる。
【００６１】
少なくとも１つの実施形態において、（i）ノーマルＣＰのノーマルサブフレーム（normal subframe）、及び（ii）ノーマルＣＰとスペシャルサブフレーム構成（configuration）３、４、及び８のスペシャルサブフレームに対しては、Ｎの値は４（Ｎ＝４）として決定できる。即ち、この場合１つのＰＲＢの対に１６個のＥＲＥＧが含まれる場合、ＥＣＣＥそれぞれが４個のＥＲＥＧであるので、総４個のＥＣＣＥが構成できる。
【００６２】
他の実施形態において、（i）拡張ＣＰのノーマルサブフレーム（normal subframe）、（ii）ノーマルＣＰとスペシャルサブフレーム構成１、２、６、７、及び９のスペシャルサブフレームそして（iii）拡張ＣＰとスペシャルサブフレーム構成１、２、３、５、及び６のスペシャルサブフレームに対してはＮの値は、８（Ｎ＝８）に設定できる。この場合、１つのＰＲＢの対に１６個のＥＲＥＧが含まれる場合、ＥＣＣＥそれぞれが８個のＥＲＥＧであるので、総数２個のＥＣＣＥが構成できる。
【００６３】
あるダウンリンクサブフレーム（すなわち、normal DL subframe）の場合、既存のＰＤＣＣＨは最初から１番目、２番目または３番目のＯＦＤＭシンボルまたは最初から２番目、３番目または４番目のＯＦＤＭシンボルを通じて転送できる。また、１つのＣＣＥは９個のＲＥＧで構成できる。したがって、ＰＤＣＣＨのＣＣＥは９×４＝３６個のＲＥで構成できる。
【００６４】
しかしながら、ＥＰＤＣＣＨの場合、図４から図９を参照して説明したように、レガシー制御領域サイズ（例えば、レガシーＰＤＣＣＨの制御領域のサイズ）及び他の参照信号（例えば、ＣＲＳ、ＣＳＩ−ＲＳなど）に使われるＲＥを考慮せず、ＲＥごとにＥＲＥＧインデキシングを遂行している。このため、あるダウンリンクサブフレームでのレガシー制御領域サイズ及び他の参照信号（例えば、ＣＲＳ、ＣＳＩ−ＲＳなど）の存否によって実際にＥＰＤＣＣＨ転送のために使用できるＲＥの数が異なるようになる。言い換えると、ＥＲＥＧごとにＥＰＤＣＣＨ転送のために使用可能なＲＥの数が変化し得る。したがって、実際ＥＰＤＣＣＨ転送の基本単位になるＥＣＣＥの場合、ＥＣＣＥごとに実際に使用可能なＲＥの数が異なるＲＥ不均衡がありうる。
【００６５】
このような問題点を克服するために、本実施形態はＥＣＣＥそれぞれを構成するＥＲＥＧをマッピングする方法を提供する。特に、本実施形態は分散されたＥＰＤＣＣＨセット（例えば、分散型（distributed type）のＥＰＤＣＣＨセット）でのＥＣＣＥ／ＥＲＥＧマッピング（または、ＥＣＣＥからＥＲＥＧへのマッピング）を遂行する方法を提供する。
【００６６】
分散型のＥＰＤＣＣＨ転送の場合、周波数ダイバーシティゲイン（frequency diversity gain）を極大化するために、１つのＥＣＣＥを構成するＥＲＥＧが、対応するＥＰＤＣＣＨセットに含まれるＭ個のＰＲＢ対に分散されるように構成することができる。このような点を考慮して、本実施形態は分散型（distributed type）のＥＰＤＣＣＨセットでのＥＣＣＥ／ＥＲＥＧマッピングを遂行する方法を提供する。
【００６７】
具体的に、本実施形態は前述したように、分散型（distributed type）のＥＰＤＣＣＨセットを構成するＭ個のＰＲＢの対でそれぞれのＥＣＣＥを構成する方法を提供する。特に、本実施形態は、全てのダウンリンクサブフレーム及びスペシャルサブフレームのダウンリンクパイロットタイムスロット（ＤｗＰＴＳ）領域を通じて転送されるレガシーＰＤＣＣＨとＣＲＳを考慮する。これにより、本実施形態は、対応するＰＲＢの対でＥＰＤＣＣＨ転送のために使用できるＲＥの数を考慮した相対的に最適のＥＣＣＥ／ＥＲＥＧマッピング方法を提供する。
【００６８】
図４から図９を参照すると、１つのＰＲＢの対に構成されたＥＲＥＧ（ＥＲＥＧ＃０,ＥＲＥＧ ＃１，．．．，ＥＲＥＧ ＃１５）それぞれは９個のＲＥを含むことができる。しかしながら、ＥＲＥＧごとに使用できるＲＥの数は、図４から図９に図示したように、ＣＲＳポートの数とレガシーＰＤＣＣＨのサイズにより決定される。ここで、使用できるＲＥは、ＥＰＤＣＣＨ転送のために使用できるＲＥを示すことができる。ＥＰＤＣＣＨセットが、図４に図示したように、ノーマルダウンリンクサブフレームに対応するレガシーＰＤＣＣＨのサイズ及びＣＲＳのポートの設定によって構成される場合、以下の＜表１＞から＜表３＞は、ＥＰＤＣＣＨセットに含まれる１つのＰＲＢの対でＥＲＥＧインデックスごとに使用可能なＲＥの数を示すことができる。
【００６９】
【表１】
0006027247.tif 000002
【００７０】
上記の＜表１＞は、レガシーＰＤＣＣＨサイズが‘１’ＯＦＤＭシンボルの場合、それぞれのＣＲＳポート設定に従うＥＲＥＧごとの使用可能なリソースエレメント（ＲＥ）の数を示す。ここに、＜表１＞は、サイクリックシフトが適用されないＥＲＥＧインデキシングに基づいて作成されている。
【００７１】
【表２】
0006027247.tif 000003
【００７２】
上記の＜表２＞はレガシーＰＤＣＣＨサイズが‘２’ＯＦＤＭシンボルの場合、それぞれのＣＲＳポート設定に従うＥＲＥＧごとの使用可能なＲＥの数を示す。ここに、＜表２＞は、サイクリックシフトが適用されないＥＲＥＧインデキシングに基づいて作成されている。
【００７３】
【表３】
0006027247.tif 000004
【００７４】
上記の＜表３＞はレガシーＰＤＣＣＨサイズが‘３’ＯＦＤＭシンボルの場合、それぞれのＣＲＳポート設定に従うＥＲＥＧごとの使用可能なＲＥの数を示す。この際、＜表３＞は、サイクリックシフトが適用されないＥＲＥＧインデキシングに基づいて作成されている。
【００７５】
＜表１＞から＜表３＞を参照すると、ＥＲＥＧごとにＥＰＤＣＣＨ転送のために使用可能なＲＥの数が異なることが分かる。この理由により、ＥＲＥＧをＥＣＣＥに割り当てる方式によって、ＥＲＥＧごとに使用可能なＲＥの数が異なり得る。
【００７６】
この状況を考慮して、本実施形態は分散型（distributed type）のＥＰＤＣＣＨセットでのＥＣＣＥ／ＥＲＥＧマッピング方法を提供する。
【００７７】
あるＥＰＤＣＣＨセットがＭ個のＰＲＢの対で構成される場合、本実施形態と関連するＰＲＢの対を、既存のＰＤＳＣＨ転送の単位に対応するＰＲＢとの区別のために向上した物理リソースブロック（ＥＰＲＢ）（Enhanced Physical Resource Block）と称するようにする。ＥＰＲＢインデックスは、ＥＰＲＢ＃ｍと表示する。より詳しくは、Ｍ個のＥＰＲＢは、ＥＰＤＣＣＨセットを構成するＰＲＢの対のインデックス（すなわち、ＰＲＢインデックス）の昇順にＥＰＲＢ＃０，．．．，ＥＰＲＢ ＃（Ｍ−１）からナンバリング（すなわち、インデキシング）できる。言い換えると、ＥＰＲＢインデキシングは最も小さいＰＲＢの対から最も大きいＰＲＢの対を含んで順次に遂行できる。ここで、最も小さいＰＲＢの対は最も小さい（lowest）ＰＲＢインデックスを有するＰＲＢの対で、最も大きいＰＲＢ対は最も大きい（largest）ＰＲＢインデックスを有するＰＲＢの対でありうる。
【００７８】
実施形態１
【００７９】
分散型のＥＰＤＣＣＨ転送の場合、実施形態１は、重要な性能指標である周波数ダイバーシティゲイン（frequency diversity gain）を最大化するための方法を提供することができる。より詳細には、実施形態１において、分散型ＥＰＤＣＣＨセットがＭ個のＥＰＲＢを含む場合、分散型ＥＰＤＣＣＨセットを構成するＥＣＣＥそれぞれが以下の２つの条件によってＮ個の分散したＥＰＲＢを通じて構成され得る。
【００８０】
‘条件１−１’（すなわち、Ｎ≧Ｍ）の場合、ＥＣＣＥそれぞれはＥＰＲＢごとにＮ／Ｍ個のＥＲＥＧにマッピングされ、総数Ｍ個のＥＰＲＢ（すなわち、ＥＰＲＢ＃ｍ（ｍ＝０，１，２，．．．，Ｍ−１））を通じてＮ個のＥＲＥＧにマッピングされ得る。ここで、ＥＣＣＥそれぞれはＮ個のＥＲＥＧで構成することができる。
【００８１】
‘条件１−２’（すなわちＮ＜Ｍ）の場合、ＥＣＣＥそれぞれは、ＥＰＲＢごとに１つのＥＲＥＧがマッピングされる。したがって、ＥＣＣＥそれぞれは、総数Ｎ個の分散したＥＰＲＢを通じてＮ個の対応するＥＲＥＧにマッピングされる。ここで、ＥＣＣＥそれぞれは、Ｎ個のＥＲＥＧで構成し得る。ここで、Ｎ個の対応するＥＰＲＢは、対応するＥＰＤＣＣＨセットを構成するＭ個のＥＰＲＢのうち、Ｍ／ＮのＥＰＲＢの間隔を有するＮ個のＥＰＲＢに対応する。
【００８２】
例えば、２つのＰＲＢの対（Ｍ＝２）は、ノーマルサイクリックプレフィックス（ＣＰ）のノーマル（normal）ダウンリンクサブフレームで、‘ＥＰＤＣＣＨユーザ端末’のための分散型のＥＰＤＣＣＨセットを構成するように割り当てられ得る。ここで、ＥＰＤＣＣＨユーザ端末は、ＥＰＤＣＣＨが適用されるユーザ端末を示す。この場合（すなわち、Ｍ＝２の場合）、対応するＥＰＤＣＣＨセットを構成する２つのＰＲＢの対のインデキシング手続は、最も小さいＰＲＢの対（例えば、ＰＲＢインデックスが最も小さいＰＲＢの対）から、対応するＰＲＢインデックスの昇順に順次に遂行できる。したがって、２つのＰＲＢの対は各々ＥＰＲＢ＃０とＥＰＲＢ ＃１としてインデキシングできる。この場合、ノーマルＣＰのノーマルダウンリンクサブフレームで１つのＥＣＣＥを構成するＥＲＥＧの個数は、４（Ｎ＝４）でありうる。したがって、上記の条件１−１によってＥＣＣＥそれぞれは、（i）ＥＰＲＢ ＃０に割り当てられる２（＝４／２）個のＥＲＥＧと、（ii）ＥＰＲＢ ＃１に割り当てられる２つのＥＲＥＧを含め、４個のＥＲＥＧで構成され得る。
【００８３】
図１０は、実施形態１に係る２つのＥＰＲＢで構成された分散型ＥＰＤＣＣＨセットでのＥＣＣＥ構成図である。
【００８４】
図１０を参照すると、分散型ＥＰＤＣＣＨセットは、ＥＰＲＢ ＃０とＥＰＲＢ ＃１との２つのＰＲＢの対で構成できる。上記の条件１−１によってＥＣＣＥそれぞれは、（i）ＥＰＲＢ ＃０に割り当てられる２つのＥＲＥＧと、（ii）ＥＰＲＢ ＃１に割り当てられる２つのＥＲＥＧを含め、４個のＥＲＥＧで構成し得る。
【００８５】
他の実施形態において、８個のＰＲＢ対（Ｍ＝８）が、ノーマルＣＰのノーマルダウンリンクサブフレームにおいて、ＥＰＤＣＣＨユーザ端末のための分散型のＥＰＤＣＣＨセットのために割り当てられ得る。ここで、ＥＰＤＣＣＨユーザ端末はＥＰＤＣＣＨが適用されるユーザ端末を示す。この場合（すなわち、Ｍ＝８の場合）対応するＥＰＤＣＣＨセットを構成する８個のＰＲＢの対のインデキシング手続は、最も小さいＰＲＢの対（すなわち、ＰＲＢインデックスが小さいＰＲＢの対）から、対応するＰＲＢインデックスの昇順に順次に遂行できる。したがって、８個のＰＲＢの対は、各々ＥＰＲＢ＃０,ＥＰＲＢ ＃１，．．．，ＥＰＲＢ ＃７としてインデキシングできる。この場合においても、ノーマルＣＰのノーマルダウンリンクサブフレームにおいて、１つのＥＣＣＥを構成するＥＲＥＧの個数は４（Ｎ＝４）でありうる。したがって、ＥＣＣＥそれぞれは、分散したＥＰＲＢごとに１つのＥＲＥＧを選んで構成され得る。ここで、分散したＥＰＲＢはＭ／Ｎ＝８／４＝２のＥＰＲＢの間隔を有するＮ個（Ｎ＝４）に対応し得る。言い換えると、４個のＥＲＥＧは、対応するＥＣＣＥの転送のためにマッピングされ得る。より詳しくは、１つのＥＣＣＥは、（i）ＥＰＲＢ ＃０から選択される１つのＥＲＥＧ、（ii）ＥＰＲＢ ＃２から選択される１つのＥＲＥＧ、（iii）ＥＰＲＢ ＃４から選択される１つのＥＲＥＧ、及び（iv）ＥＰＲＢ ＃６から選択される１つのＥＲＥＧを含む４個のＥＲＥＧで構成し得る。代りに、１つのＥＣＣＥは、（i）ＥＰＲＢ ＃１から選択される１つのＥＲＥＧ、（ii）ＥＰＲＢ ＃３から選択される１つのＥＲＥＧ、（iii）ＥＰＲＢ ＃５から選択される１つのＥＲＥＧ、及び（iv）ＥＰＲＢ ＃７から選択される１つのＥＲＥＧを含む４個のＥＲＥＧで構成し得る。
【００８６】
図１１は、実施形態１に係る８個のＥＰＲＢで構成された分散型ＥＰＤＣＣＨセットでのＥＣＣＥ構成図である。
【００８７】
図１１を参照すると、分散型ＥＰＤＣＣＨセットはＥＰＲＢ ＃０からＥＰＲＢ ＃７まで８個のＰＲＢの対で構成し得る。図１１に示すように、上記の条件１−２によって１つのＥＣＣＥは、ＥＰＲＢ＃０、ＥＰＲＢ ＃２、ＥＰＲＢ ＃４、ＥＰＲＢ ＃６それぞれのＥＰＲＢに１つのＥＲＥＧが割り当てて構成し得る。
【００８８】
実施形態２
【００８９】
分散型のＥＰＤＣＣＨセットで１つのＥＣＣＥを構成するために、上記の実施形態１で説明したＥＰＲＢマッピング方法と共に、ＥＲＥＧ選択方法（すなわち、対応するＥＰＲＢにおいてＥＲＥＧ（または、複数のＥＲＥＧ）を選択する方法）が定義される。ここで、‘ＥＲＥＧ選択方法’と‘実施形態１のＥＰＲＢホッピング方法’とを組み合わせて以下の３種類の実施形態のＥＣＣＥ／ＥＲＥＧマッピング方法を提供する。
【００９０】
実施形態２−１
【００９１】
最初の実施形態として、上記の実施形態１により１つのＥＣＣＥを構成するためにマッピングされるＥＰＲＢそれぞれから選択される‘同一のインデックスを有するＥＲＥＧ’により、対応するＥＣＣＥを構成し得る。より詳細には、１つのＥＣＣＥを構成するために、上記の条件１−１の場合、ＥＰＲＢごとにＮ／Ｍ個のＥＲＥＧがマッピングされ得る。一方、条件１−２の場合、ＥＰＲＢごとに１つのＥＲＥＧがマッピングされ得る。この場合、ＥＣＣＥそれぞれは、‘同一のインデックスを有するＥＲＥＧ’をマッピングすることにより、構成され得る。対応するＥＰＤＣＣＨセットを構成する総数（１６／Ｎ）×Ｍ個のＥＣＣＥ（ＥＣＣＥ＃ｉ、ｉ＝０，１，２，．．．，（１６／Ｎ）×Ｍ）は、（i）それぞれのＥＣＣＥに関連する最も小さい（lowest）ＥＲＥＧインデックスおよび（ii）ＥＰＲＢインデックスの順にインデキシングできる。即ち、上記の実施形態１のＥＰＲＢマッピングにしたがって、ＥＣＣＥが構成される場合に、ＥＣＣＥインデックスは、対応するＥＰＲＢ（すなわち、ＥＣＣＥそれぞれの場合について実施形態１によって決定されるＥＰＲＢ）から選択されたＥＲＥＧのうち、最も小さいＥＲＥＧ（すなわち、最も小さいＥＲＥＧインデックスを有するＥＲＥＧ）と関連するＥＣＣＥから順次に遂行され得る。即ち、対応するＥＣＣＥはＥＣＣＥ＃０から順次にナンバリング（すなわち、インデキシング）され得る。また、上記の条件１−２の場合のように、ＥＣＣＥそれぞれがＮ個の互いに異なるＥＰＲＢにマッピングされ、対応するＥＣＣＥそれぞれを構成するＥＰＲＢから選択されたＥＲＥＧインデックスがＥＣＣＥの間に同一な場合に、ＥＣＣＥインデキシングは最も小さいＥＰＲＢインデックスにマッピングされたＥＣＣＥから始めることができる。即ち、対応するＥＰＤＣＣＨセットにおけるＥＣＣＥ＃ｉを構成するＥＲＥＧは、以下の＜数式１＞と＜数式２＞により決定できる。
【００９２】
＜数式１＞
ｉ＝０，１，．．．，（１６／Ｎ）×Ｍ−１に対し、Ｎ≧Ｍであり、
ＥＣＣＥ ＃ｉ＝｛ＥＲＥＧ ＃ｎ of ＥＰＲＢ ＃ｍ｝である。
【００９３】
＜数式１＞で、ｍ＝０，１，．．．，Ｍ−１であり、ｎ＝ｎ（ｉ），．．．，ｎ（ｉ）＋（Ｎ／Ｍ）−１であり、ｎ（ｉ）＝ｉ×（Ｎ／Ｍ）である。
【００９４】
＜数式２＞
ｉ＝０，１，．．．，（１６／Ｎ）×Ｍ−１に対し、Ｎ＜Ｍであり、
ＥＣＣＥ ＃ｉ＝｛ＥＲＥＧ ＃n（i） of ＥＰＲＢ ＃ｍ（ａ）｝である。
【００９５】
＜数式２＞で、ａ＝０,１，．．．，Ｎ−１に対し、ｍ（ａ）＝（Ｍ／Ｎ）×ａ＋（ｉ  ｍｏｄ  （Ｍ／Ｎ）であり、ｎ（ｉ）＝［ｉ×Ｎ／Ｍ］である。ここで、［ｘ］はｘを超えない最大の整数を示す。
【００９６】
図１２は、実施形態２−１に係る分散型ＥＰＤＣＣＨセットでのＥＣＣＥ構成図である。
【００９７】
図１２でＥＣＣＥを構成するＥＲＥＧの個数（“Ｎ”）は‘４’（Ｎ＝４）であり、ＥＣＣＥのインデックス（すなわわち、ＥＣＣＥインデックス＃ｉ）に対応する“ｉ”は、‘０’（ｉ＝０）であり得る。
【００９８】
図１２ａは、上記＜数式１＞に従うＥＣＣＥの構成図である。図１２ａを参照すると、ＥＰＤＣＣＨセットを構成するＥＰＲＢの個数（“Ｍ”）は‘２’（Ｍ＝２）であり得る。このような変数の値（例えば、Ｎ＝４、ｉ＝０、及びＭ＝２）を上記＜数式１＞に適用すれば、ｎ（ｉ）＝ｉ×Ｎ／Ｍ＝０×４／２＝０、ｎ（ｉ）＋Ｎ／Ｍ−１＝１となる。したがって、ＥＣＣＥ＃０は｛ＥＲＥＧ ＃０及びＥＲＥＧ ＃１ of ＥＰＲＢ ＃０、及びＥＰＲＢ ＃１｝であり得る。言い換えると、図１２ａに示すように、（i）ＥＰＲＢ ＃０から選択されるＥＲＥＧ ＃０とＥＲＥＧ ＃１、（ii）ＥＰＲＢ ＃１から選択されるＥＲＥＧ ＃０とＥＲＥＧ＃１、により、ＥＣＣＥ ＃０が構成され得る。
【００９９】
図１２ｂは、上記＜数式２＞に従うＥＣＣＥの構成図である。図１２ｂを参照すると、ＥＰＤＣＣＨセットを構成するＥＰＲＢの個数（“Ｍ”）は‘８’（Ｍ＝８）であり得る。このような変数の値（例えば、Ｎ＝４、ｉ＝０、及びＭ＝８）を上記＜数式２＞に適用すれば、ｎ（ｉ）＝［ｉ×Ｎ／Ｍ］＝［０×４／８］＝［０］＝０、ｍ（ａ）＝（Ｍ／Ｎ）×ａ＋（ｉ  ｍｏｄ  （Ｍ／Ｎ））＝（８／４）×ａ＋（０  ｍｏｄ  （８／４））＝２ａ＋０＝２ａとなる。ａ＝０，１，２，３に対し、ｍ（ａ）＝｛０，２，４，６｝である。したがって、ＥＣＣＥ＃０は｛ＥＲＥＧ ＃０ of ＥＰＲＢ ＃０、ＥＰＲＢ ＃２、ＥＰＲＢ ＃４、ＥＰＲＢ ＃６｝であり得る。言い換えると、図１２ｂに示すように、（i）ＥＰＲＢ ＃０から選択されるＥＲＥＧ ＃０、（ii）ＥＰＲＢ ＃２から選択されるＥＲＥＧ ＃０、（iii）ＥＰＲＢ ＃４から選択されるＥＲＥＧ ＃０、（iv）ＥＰＲＢ ＃６から選択されるＥＲＥＧ ＃０により、ＥＣＣＥ ＃０が構成され得る。
【０１００】
実施形態２−２
【０１０１】
別の実施形態において、実施形態１により１つのＥＣＣＥを構成するためにマッピングされるＥＰＲＢそれぞれから選択される‘シフトされた（shifted）インデックスを有するＥＲＥＧ’で、対応するＥＣＣＥが構成され得る。実施形態１によれば、あるＥＣＣＥを構成するＥＲＥＧを選択するＥＰＲＢインデックスのホッピングサイズは、（i）１つのＥＰＲＢ（上記の条件１−１の場合）、または（ii）Ｍ／Ｎ個のＥＰＲＢ（上記の条件１−２の場合）に対応し得る。
【０１０２】
以下、上記の説明（例えば、ホッピングサイズ）と関連して本実施形態を具体的に記述する。分散型ＥＰＤＣＣＨセットがＭ個のＥＰＲＢ（例えば、ＥＰＲＢ＃０〜ＥＰＲＢ ＃（Ｍ−１））からなる場合、ＥＲＥＧ選択のためのＥＰＲＢ（例えば、ＥＲＥＧが選択されるＥＰＲＢ）は、Ｍ個のＥＰＲＢのうち、ＥＰＲＢホッピング手続を通じてマッピング（すなわち、決定）され得る。ここで、ＥＰＲＢホッピング手続は、ＥＰＲＢ＃０のＥＲＥＧ ＃０から始めて、上記の実施形態１の条件に従うホッピングサイズを有し得る。ＥＣＣＥの構成に使用するＥＲＥＧは、マッピングされたＥＰＲＢごとに１つのＥＲＥＧを選択することにより（すなわち、ＥＰＲＢホッピング手続を通じてマッピングされたＥＰＲＢのそれぞれから１つのＥＲＥＧを選択することにより）決定できる。特に、この場合、ＥＰＲＢホッピングが一回遂行される度に、対応するＥＰＲＢから選択されるＥＲＥＧインデックスを‘１’増やすことができる（図９ｂ参照）。もし、あるＥＣＣＥを構成するためのＮ番目のＥＲＥＧをマッピングする前に、対応するＥＰＤＣＣＨセットを構成する最後のＥＰＲＢ（最も大きい EPRB）に到達すれば、また最初のＥＰＲＢ（すなわち、最も小さいＥＰＲＢ）に戻るサイクリックシフティング（cyclic shifting）を適用してＥＲＥＧマッピングを続けるようにすることができる。
【０１０３】
即ち、上記の実施形態１に係るホッピングサイズが‘１’の場合、すなわちＮ≧Ｍ（例えばＮ＝４、Ｍ＝３）の場合、ＥＰＲＢ＃０からＥＲＥＧ ＃０を選択し、ＥＰＲＢ ＃１からＥＲＥＧ ＃１を選択し、ＥＰＲＢ ＃２からＥＲＥＧ＃２を選択することができる。ＥＰＲＢ ＃０に再び戻った後は、またＥＰＲＢ＃０からＥＲＥＧ ＃３を選択することができる。したがって、総数Ｍ個のＥＰＲＢを通じてＮ個のＥＲＥＧを選択してマッピングし得る。特に、Ｎ＞Ｍの場合、１つのＥＰＲＢ（または、複数のＥＰＲＢ）は一回以上選択できる。
【０１０４】
このように、Ｎ個のＥＲＥＧの選択のための１回目のＥＣＣＥ／ＥＲＥＧマッピングが上記のように終われば、次のＥＰＲＢから２回目のＥＣＣＥ／ＥＲＥＧマッピングを遂行し得る。より詳しくは、２番目のＥＣＣＥが、ＥＰＲＢホッピング手続及びＥＲＥＧ選択手続を通じてマッピングされる。ここで、ＥＰＲＢホッピング手続はＥＰＲＢ＃１のＥＲＥＧ ＃０から始めて、同一のホッピングサイズ（すなわち、最初のＥＣＣＥ／ＥＲＥＧマッピングに使われたホッピングサイズ）を有する。２番目のＥＣＣＥのマッピングのためのＥＰＲＢはＥＰＲＢホッピング手続を通じて決定できる。２番目のＥＣＣＥの構成のための総数Ｎ個のＥＲＥＧが、決定されたＥＰＲＢごとに１つのＥＲＥＧを選択することにより、決定（すなわち、選択）され得る。特に、この場合、ＥＰＲＢホッピングが遂行される度に、‘対応するＥＰＲＢ’（すなわち、ＥＰＲＢホッピング手続を通じて決定されるそれぞれのＥＰＲＢ）から選択されたＥＲＥＧインデックスを１ずつ増加させることができる。このような方式によりＭ番目のＥＣＣＥ（すなわち、ＥＣＣＥ＃（Ｍ−１））を構成するＥＲＥＧマッピングは、ＥＰＲＢ ＃（Ｍ−１）のＥＲＥＧ ＃０から始めることができる。ここで、ＥＰＲＢ ＃（Ｍ−１）は、対応するＥＰＤＣＣＨセットを構成する最後のＥＰＲＢに対応し得る。
【０１０５】
最初の回（turn）（すなわち、ＥＣＣＥ ＃０からＥＣＣＥ ＃（Ｍ−１）の構成のためのＥＣＣＥ／ＥＲＥＧマッピング）が上記のように終了すれば、対応するＥＰＤＣＣＨセットを構成する全てのＥＰＲＢ（例えば、ＥＰＲＢ＃０〜ＥＰＲＢ ＃（Ｍ−１））のそれぞれに含まれるＥＲＥＧ（例えば、ＥＲＥＧ＃０〜ＥＲＥＧ ＃（Ｎ−１））がＥＣＣＥ ＃０〜ＥＣＣＥ ＃（Ｍ−１）のマッピングに使用し得る。その後、ＥＰＲＢ ＃０のＥＲＥＧ ＃Ｎから始めて、同一な過程を通じて２番目の回（すなわち、ＥＣＣＥ ＃ＭからＥＣＣＥ ＃（２Ｍ−１）の構成のためのＥＣＣＥ／ＥＲＥＧマッピング）を始めることができる。したがって、ＥＣＣＥ＃ＭからＥＣＣＥ ＃（２Ｍ−１）が２番目の回を通じてマッピングされ得る。
【０１０６】
上述のように、Ｎの値によって１６／Ｎ回の回を遂行すれば、対応するＥＰＤＣＣＨセットを構成する総数（１６／Ｎ）×Ｍ個のＥＣＣＥをマッピングすることができる。
【０１０７】
実施形態２−２に係る任意の分散型ＥＰＤＣＣＨセットのためのＥＣＣＥ／ＥＲＥＧマッピング方法は、以下の＜数式３＞及び＜数式４＞により表現できる。
【０１０８】
＜数式３＞
ｉ＝０，１，．．．，（１６／Ｎ）×Ｍ−１および、Ｎ≧Ｍについて、
ＥＣＣＥ ＃ｉ＝｛ＥＲＥＧ ＃ｎ（ａ） of ＥＰＲＢ ＃ｍ（ａ）｝である。
【０１０９】
＜数式３＞で、ａ＝０，１，．．．，Ｎ−１に対し、ｍ（ａ）＝（ｉ  ｍｏｄ  Ｍ）＋ａ−Ｍ×［｛（ｉ  ｍｏｄ  Ｍ）＋ａ｝／Ｍ］であり、ｎ（ａ）＝Ｎ×［ｉ／Ｍ］＋ａである。ここで、［ｘ］はｘを超えない最大の整数を示す。
【０１１０】
＜数式４＞
ｉ＝０，１，．．．，（１６／Ｎ）×Ｍ−１および、Ｎ＜Ｍでついて、
ＥＣＣＥ ＃ｉ＝｛ＥＲＥＧ ＃ｎ（ａ） of ＥＰＲＢ ＃ｍ（ａ）｝である。
【０１１１】
＜数式４＞で、ａ＝０，１，．．．，Ｎ−１に対し、ｍ（ａ）＝（ｉ  ｍｏｄ  Ｍ）＋（Ｍ／Ｎ）×ａ−Ｍ×［｛（ｉ  ｍｏｄ  Ｍ）＋ａ｝／Ｍ］
であり、ｎ（ａ）＝Ｎ×［ｉ／Ｍ］＋ａである。ここで、［ｘ］はｘを超えない最大の整数を示す。
【０１１２】
図１３は、実施形態２−２に係る分散型ＥＰＤＣＣＨセットでのＥＣＣＥ構成図である。
【０１１３】
図１３で、ＥＣＣＥを構成するＥＲＥＧの個数（“Ｎ”）は‘４’（Ｎ＝４）であり、ＥＣＣＥのインデックス“ｉ”は‘０’（ｉ＝０）であり得る。
【０１１４】
図１３ａは、上記＜数式３＞に従うＥＣＣＥの構成を示す。図１３ａを参照すると、ＥＰＤＣＣＨセットを構成するＥＰＲＢの個数（“Ｍ”）は‘２’（Ｍ＝２）であり得る。このような変数の値（例えば、Ｎ＝４、ｉ＝０、及びＭ＝２）を上記＜数式３＞に適用すれば、（i）（ａ＝０に対して）ｍ（０）＝０及びｎ（０）＝０であり、（ii）（ａ＝１に対して）ｍ（１）＝１及びｎ（１）＝１であり、（iii）（ａ＝２に対して）ｍ（２）＝０及びｎ（２）＝２であり、（iv）（ａ＝３に対して）ｍ（３）＝１及びｎ（３）＝３である。したがって、ＥＣＣＥ＃０は｛ＥＲＥＧ ＃０ of ＥＰＲＢ ＃０、ＥＲＥＧ ＃１ of ＥＰＲＢ ＃１、ＥＲＥＧ ＃２ of ＥＰＲＢ ＃０、ＥＲＥＧ ＃３ of ＥＰＲＢ ＃１｝であり得る。図１３ａに示すように、ＥＰＲＢ＃０からＥＲＥＧ ＃０が選択され、ＥＰＲＢ ＃１からＥＲＥＧ ＃１が選択され得る。それ以後、ＥＰＲＢ ＃０からＥＲＥＧ ＃２が選択され、またＥＰＲＢ ＃１からＥＲＥＧ ＃３が選択され得る。ＥＣＣＥ ＃０は選択されたＥＲＥＧにより構成され得る。
【０１１５】
図１３ｂは、上記＜数式４＞に従うＥＣＣＥの構成を示す。図１３ｂを参照すると、ＥＰＤＣＣＨセットを構成するＥＰＲＢの個数（“Ｍ”）は‘８’（Ｍ＝８）である。このような変数の値（例えば、Ｎ＝４、ｉ＝０、及びＭ＝８）を上記＜数式４＞に適用すれば、（i）（ａ＝０に対して）ｍ（０）＝０及びｎ（０）＝０であり、（ii）（ａ＝１に対して）ｍ（１）＝２及びｎ（１）＝１であり、（iii）（ａ＝２に対して）ｍ（２）＝４及びｎ（２）＝２であり、（iv）（ａ＝３に対して）ｍ（３）＝６及びｎ（３）＝３でありうる。したがって、ＥＣＣＥ＃０は｛ＥＲＥＧ ＃０ of ＥＰＲＢ ＃０、ＥＲＥＧ ＃１ of ＥＰＲＢ ＃２、ＥＲＥＧ ＃２ of ＥＰＲＢ ＃４、ＥＲＥＧ ＃３ of ＥＰＲＢ ＃６｝であり得る。言い換えると、図１３ｂに示すように、(i)ＥＰＲＢ ＃０からＥＲＥＧ ＃０が選択され、(ii)ＥＰＲＢ＃１からＥＲＥＧ ＃１が選択され、(iii)ＥＰＲＢ ＃４からＥＲＥＧ ＃２が選択され、(iv)ＥＰＲＢ＃６からＥＲＥＧ ＃３を選択することができる。ＥＣＣＥ＃０は選択されたＥＲＥＧにより構成され得る。
【０１１６】
実施形態２−３
【０１１７】
上記の実施形態２−２と同様に、総数Ｎ個のＥＲＥＧが、ＥＰＲＢホッピングを通じて決定されたＥＰＲＢそれぞれから１つのＥＲＥＧを選択することにより、選択されマッピングされ得る。しかしながら、ＥＲＥＧ選択／マッピングは実施形態２−２とは異なり、ＥＰＲＢホッピングする度にＥＲＥＧインデックスを１ずつ増加させて選択する代わりに、上記の‘Ｎ’値によって１６／ＮずつＥＲＥＧインデックスを増加させながら選択して遂行できる。即ち、分散型ＥＰＤＣＣＨセットがＭ個のＥＰＲＢ（例えばＥＰＲＢ＃０からＥＰＲＢ ＃（Ｍ−１））を含む場合、ＥＲＥＧ選択のためのＥＰＲＢ（すなわち、ＥＲＥＧが選択されるＥＰＲＢ）は、Ｍ個のＥＰＲＢのうち、ＥＰＲＢホッピング手続を通じてマッピング（すなわち、決定）され得る。ここで、ＥＰＲＢホッピング手続はＥＰＲＢ＃０のＥＲＥＧ ＃０から始めて、上記の実施形態１の条件に従うホッピングサイズを有することができる。ＥＣＣＥの構成に使用されるＥＲＥＧは、マッピングされたＥＰＲＢごとに１つのＥＲＥＧを選択することにより（すなわち、ＥＰＲＢホッピング手続を通じてマッピングされたＥＰＲＢのそれぞれから１つのＥＲＥＧを選択することにより）決定できる。
【０１１８】
この際、ＥＰＲＢホッピングが一回遂行される度に、‘対応するＥＰＲＢ’（すなわち
、ＥＰＲＢホッピング手続を通じて決定されるＥＰＲＢそれぞれから選択するＥＲＥＧイ
ンデックスを、上記の実施形態２−２のように１ずつ増やすことができる。しかしながら
、実施形態２−３によれば、ＥＰＲＢホッピングが一回遂行される度に、対応するＥＰＲ
Ｂから選択するＥＲＥＧインデックスを１６／Ｎずつ（Ｎ値により決定される）増やすこ
とができる。ここで、１６／Ｎを、ＥＲＥＧホッピングサイズという場合がある。例えば
、分散型ＥＰＤＣＣＨセットのために割り当てられたＥＰＲＢの個数（“Ｍ”）が８（す
なわち、Ｍ＝８）であり、ＥＰＤＣＣＨセットがノーマルＣＰのノーマルダウンリンクサ
ブフレームで構成される場合（すなわち、Ｎ＝４の場合）、上記の実施形態１の条件によ
ってＥＰＲＢホッピングサイズはＭ／Ｎ＝２として決定できる。また、本実施形態２−３
に従ってＥＣＣＥを構成する場合、各々のＥＣＣＥを構成するＥＰＲＢから選択するＥＲ
ＥＧホッピングサイズは１６／４＝４として決定できる。
【０１１９】
したがって、対応するＥＰＤＣＣＨセットを構成する最初のＥＣＣＥ（すなわち、ＥＣＣＥ＃０）は、（i）ＥＰＲＢ ＃０のＥＲＥＧ ＃０、（ii）ＥＰＲＢ ＃２のＥＲＥＧ ＃４、（iii）ＥＰＲＢ ＃４のＥＲＥＧ ＃８と、（iv）ＥＰＲＢ ＃６のＥＲＥＧ ＃１２で構成し得る。同様に、対応するＥＰＤＣＣＨセットを構成する２番目のＥＣＣＥ（すなわち、ＥＣＣＥ＃１）は、（i）ＥＰＲＢ ＃１のＥＲＥＧ ＃０、（ii）ＥＰＲＢ ＃３のＥＲＥＧ ＃４、（iii）ＥＰＲＢ ＃５のＥＲＥＧ ＃８と、（iv）ＥＰＲＢ ＃７のＥＲＥＧ ＃１２で構成し得る。このように、最初の回（turn）の最後のＥＣＣＥ、すなわち、対応するＥＰＤＣＣＨセットのＭ番目のＥＣＣＥ（すなわち、ＥＣＣＥ＃（Ｍ−１））は、（i）ＥＰＲＢ ＃７のＥＲＥＧ ＃０、（ii）ＥＰＲＢ ＃１のＥＲＥＧ ＃４、（iii）ＥＰＲＢ ＃３のＥＲＥＧ ＃８と、（iv）ＥＰＲＢ ＃５のＥＲＥＧ ＃１２で構成し得る。本例において、ＥＣＣＥ＃７はＥＣＣＥ ＃（Ｍ−１）に対応する。
【０１２０】
最初の回（すなわち、ＥＣＣＥ ＃０からＥＣＣＥ ＃（Ｍ−１）の構成のためのＥＣＣＥ／ＥＲＥＧマッピング）が上記のように終了すれば、対応するＥＰＤＣＣＨセットを構成する全てのＥＰＲＢ（例えば、ＥＰＲＢ＃０からＥＰＲＢ ＃（Ｍ−１））に含まれるＥＲＥＧのうち、‘［“モジュロ（modulo）１６／Ｎ”演算の値＝０］に対応するＥＲＥＧインデックスを有するＥＲＥＧ’が、Ｍ個（例えば、ＥＣＣＥ＃０からＥＣＣＥ ＃（Ｍ−１））のＥＣＣＥのために使用できる。ここで、‘［“モジュロ（modulo）１６／Ｎ”演算の値＝０］に対応するＥＲＥＧインデックスを有するＥＲＥＧ’は“モジュロ１６／Ｎ”演算（例えば、本例で“モジュロ４”演算）がＥＲＥＧインデックスそれぞれに遂行される時、［モジュロ演算の値＝０］に対応するＥＲＧＥインデックスを有するＥＲＥＧを示す。Ｍは本例で８であり得る。
【０１２１】
２番目の回（すなわち、ＥＣＣＥ ＃ＭからＥＣＣＥ ＃（２Ｍ−１）の構成のためのＥＣＣＥ／ＥＲＥＧマッピング）において、同じように、対応するＥＣＣＥマッピングは（Ｍ＋１）番目のＥＣＣＥ（すなわち、ＥＣＣＥ＃Ｍ）から始めて、２Ｍ番目のＥＣＣＥ（すなわち、ＥＣＣＥ ＃（２Ｍ−１））で終わることができる。ここで、（Ｍ＋１）番目のＥＣＣＥ（すなわち、ＥＣＣＥ ＃Ｍ）を、（i）ＥＰＲＢ ＃０のＥＲＥＧ ＃１、（ii）ＥＰＲＢ ＃２のＥＲＥＧ ＃５、（iii）ＥＰＲＢ ＃４のＥＲＥＧ ＃９、及び（iv）ＥＰＲＢ ＃６のＥＲＥＧ ＃１３にマッピングすることができる。２Ｍ番目のＥＣＣＥ（すなわち、ＥＣＣＥ＃（２Ｍ−１））を、（i）ＥＰＲＢ ＃７のＥＲＥＧ ＃１、（ii）ＥＰＲＢ ＃１のＥＲＥＧ ＃５、（iii）ＥＰＲＢ ＃３のＥＲＥＧ ＃９、及び（iv）ＥＰＲＢ ＃５のＥＲＥＧ ＃１３にマッピングすることができる。
【０１２２】
上述のように、Ｎ値によって１６／Ｎ回の回を遂行すれば、対応するＥＰＤＣＣＨセットを構成する全ての総数（１６／Ｎ）×Ｍ個のＥＣＣＥをマッピングすることができる。この際、あるＥＣＣＥを構成するためのＮ番目のＥＲＥＧをマッピングする前に、対応するＥＰＤＣＣＨセットに含まれる最後のＥＰＲＢ（すなわち、最も大きいＥＰＲＢ）に到達すれば、また初めのＥＰＲＢ（すなわち、最も小さいＥＰＲＢ）に戻るサイクリックシフティング（cyclic shifting）を適用してＥＲＥＧマッピングを続けて遂行することができる。
【０１２３】
本実施形態２−３に係る分散型ＥＰＤＣＣＨセットのためのＥＣＣＥ／ＥＲＥＧマッピング方法は、以下の＜数式５＞及び＜数式６＞により表現できる。
【０１２４】
＜数式５＞
ｉ＝０，１，．．．，（１６／Ｎ）×Ｍ−１であり、Ｎ≧Ｍについて、
ＥＣＣＥ ＃ｉ＝｛ＥＲＥＧ ＃ｎ（ａ） of ＥＰＲＢ ＃ｍ（ａ）｝である。
【０１２５】
＜数式５＞で、ａ＝０，１，．．．，Ｎ−１に対し、
ｍ（ａ）＝（ｉ  ｍｏｄ  Ｍ）＋ａ−Ｍ×［｛（ｉ  ｍｏｄ  Ｍ）＋ａ｝／Ｍ］
であり、ｎ（ａ）＝Ｎ×［ｉ／Ｍ］＋（１６／Ｎ）×ａである。ここで、［ｘ］はｘを超えない最大の整数を示す。
【０１２６】
＜数式６＞
ｉ＝０，１，．．．，（１６／Ｎ）×Ｍ−１であり、Ｎ＜Ｍについて、
【０１２７】
ＥＣＣＥ ＃ｉ＝｛ＥＲＥＧ ＃ｎ（ａ） of ＥＰＲＢ ＃ｍ（ａ）｝である。
【０１２８】
＜数式６＞で、ａ＝０，１，．．．，Ｎ−１に対し、
ｍ（ａ）＝（ｉ  ｍｏｄ  Ｍ）＋（Ｍ／Ｎ）×ａ−Ｍ×［｛（ｉ  ｍｏｄ  Ｍ）＋ａ｝／Ｍ］
であり、ｎ（ａ）＝Ｎ×［ｉ／Ｍ］＋（１６／Ｎ）×ａである。ここで、［ｘ］はｘを超えない最大の整数を示す。
【０１２９】
図１４は、実施形態２−３に係る分散型ＥＰＤＣＣＨセットでのＥＣＣＥ構成を示す。
【０１３０】
図１４でＥＣＣＥを構成するＥＲＥＧの個数（“Ｎ”）は‘４’（Ｎ＝４）であり、ＥＣＣＥインデックスに対応する“ｉ”（すなわちＥＣＣＥのインデックス＃ｉ）は‘０’（ｉ＝０）であり得る。
【０１３１】
図１４ａは、上記＜数式５＞に従うＥＣＣＥの構成を示す。図１４ａを参照すると、ＥＰＤＣＣＨセットを構成するＥＰＲＢの個数（“Ｍ”）は‘２’（Ｍ＝２）である。このような変数の値（例えば、Ｎ＝４、ｉ＝０、及びＭ＝２）を上記＜数式５＞に適用すれば、（i）（ａ＝０に対して）ｍ（０）＝０及びｎ（０）＝０であり、（ii）（ａ＝１に対して）ｍ（１）＝１及びｎ（１）＝４であり、（iii）（ａ＝２に対して）ｍ（２）＝０及びｎ（２）＝８であり、（iv）（ａ＝３に対して）ｍ（３）＝１及びｎ（３）＝１２であり得る。したがって、ＥＣＣＥ ＃０は｛ＥＲＥＧ＃０ of ＥＰＲＢ ＃０、ＥＲＥＧ ＃４ of ＥＰＲＢ ＃１、ＥＲＥＧ ＃８ of ＥＰＲＢ ＃０、ＥＲＥＧ ＃１２ of ＥＰＲＢ ＃１｝であり得る。言い換えると、図１４ａに示すように、ＥＰＲＢ ＃０からＥＲＥＧ ＃０が選択され、ＥＰＲＢ ＃１からＥＲＥＧ＃４が選択され得る。その以後、またＥＰＲＢ ＃０からＥＲＥＧ ＃８が選択され、またＥＰＲＢ ＃１からＥＲＥＧ ＃１２が選択され得る。ＥＣＣＥ ＃０は選択されたＥＲＥＧにより構成できる。
【０１３２】
図１４ｂは、上記＜数式６＞に従うＥＣＣＥの構成を示す。図１４ｂを参照すると、ＥＰＤＣＣＨセットを構成するＥＰＲＢの個数（“Ｍ”）は‘８’（Ｍ＝８）である。このような変数の値（例えば、Ｎ＝４、ｉ＝０、及びＭ＝８）を上記＜数式６＞に適用すれば、（i）（ａ＝０に対して）ｍ（０）＝０、ｎ（０）＝０であり、（ii）（ａ＝１に対して）ｍ（１）＝２、ｎ（１）＝４であり、（iii）（ａ＝２に対して）ｍ（２）＝４、ｎ（２）＝８であり、（iv）（ａ＝３に対して）ｍ（３）＝６、ｎ（３）＝１２でありうる。したがって、ＥＣＣＥ ＃０は｛ＥＲＥＧ＃０ of ＥＰＲＢ ＃０、ＥＲＥＧ ＃４ of ＥＰＲＢ ＃２、ＥＲＥＧ ＃８ of ＥＰＲＢ ＃４、ＥＲＥＧ ＃１２ of ＥＰＲＢ ＃６｝でありうる。言い換えると、図１４ｂに示すように、（i）ＥＰＲＢ ＃０からＥＲＥＧ ＃０が選択され、（ii）ＥＰＲＢ ＃２からＥＲＥＧ ＃４が選択され、（iii）ＥＰＲＢ ＃４からＥＲＥＧ ＃８が選択され、（iv）ＥＰＲＢ ＃６からＥＲＥＧ ＃１２が選択され得る。ＥＣＣＥ ＃０は選択されたＥＲＥＧにより構成できる。
【０１３３】
前述したように、ＥＲＥＧを構成するリソースエレメント（ＲＥ）のうち、レガシーＰＤＣＣＨ制御領域のサイズおよび参照信号（例えば、ＣＲＳなど）の存在によって、ＥＰＤＣＣＨ転送に使用できないＲＥがあり得る。したがって、ＥＲＥＧごとにＥＰＤＣＣＨ転送に使用することができるＲＥの数の不均衡がありうる。ＥＣＣＥが実施形態２−２と実施形態２−３に従って構成される場合、ＥＣＣＥごとに使用することができるＲＥの数について、より詳細に説明する。
【０１３４】
レガシーＰＤＣＣＨのサイズは‘２’ＯＦＤＭシンボルであれば、使用することができるＲＥの数は、上記＜表３＞に記載された通りであり得る。
【０１３５】
このような場合において、実施形態２−２に従ってＥＲＥＧのインデックス（すなわち、対応するＥＰＲＢから選択するべきＥＲＥＧのインデックス）を‘１’ずつ増加させながらＥＣＣＥを構成することができる。以下の＜表４＞は、ＥＣＣＥが実施形態２−２に従って構成される場合、ＥＣＣＥごとに使用することができるＲＥの数を示し得る。
【０１３６】
【表４】
0006027247.tif 000005
【０１３７】
＜表４＞を参照すると、１つの転送アンテナポート（“１ Ｔｘ ＣＲＳ”）の場合、ＥＲＥＧ ＃０からＥＲＥＧ＃３のＥＲＥＧで構成されるＥＣＣＥは、使用することができる２５個のＲＥを含み、ＥＲＥＧ＃１２からＥＲＥＧ ＃１５のＥＲＥＧで構成されるＥＣＣＥは、使用することができる３１個のＲＥを含む。したがって、２つのＥＣＣＥの間に使用することができるＲＥの数の差は６個でありうる。
【０１３８】
同様に、レガシーＰＤＣＣＨのサイズが‘２’ＯＦＤＭシンボルの時、以下の＜表５＞はＥＣＣＥが実施形態２−３に従って構成されるＥＣＣＥの使用することができるＲＥの数を示し得る。
【０１３９】
【表５】
0006027247.tif 000006
【０１４０】
＜表５＞を参照すると、１つの転送アンテナポート（“１ Ｔｘ ＣＲＳ”）の場合、ＥＲＥＧ ＃０、ＥＲＥＧ＃４、ＥＲＥＧ ＃８、ＥＲＥＧ ＃１２で構成されるＥＣＣＥは、使用することができる２８個のＲＥを含み得る。ＥＲＥＧ ＃１、ＥＲＥＧ＃５、ＥＲＥＧ ＃９、ＥＲＥＧ ＃１３で構成されたＥＣＣＥは使用することができる２９個のＲＥを含み得る。したがって、２つのＥＣＣＥの間に使用することができるＲＥの数の差は１つであり得る。実施形態２−３に係るＥＣＣＥの間の使用可能ＲＥ数の差（例えば、１つ）は実施形態２−２に係るＥＣＣＥの間の使用可能ＲＥ数の差（例えば、６個）より小さいことがあり得る。また、２つの転送アンテナポート（“２Ｔｘ ＣＲＳ”）及び４個の転送アンテナポート（“４Ｔｘ ＣＲＳ”）に対して実施形態２−３に従って構成されたＥＣＣＥの間に使用することができるＲＥの数の差は‘０’となり得る。
【０１４１】
実施形態２で実施形態１を組み合わせた実施形態を説明した。しかしながら、本実施形態はこれに制限されるものではない。また、実施形態２に記載された実施形態は実施形態１と独立であり得る。
【０１４２】
例えば、実施形態２−１によれば、同一のインデックスを有するＥＲＥＧでＥＣＣＥを構成することができる。８個のＥＰＲＢで構成されたＥＰＤＣＣＨセットの場合、１つのＥＣＣＥは、ＥＰＲＢ＃０、ＥＰＲＢ ＃２、ＥＰＲＢ ＃４、ＥＰＲＢ ＃６において、同一のインデックスを有するＥＲＥＧ（例えば、ＥＲＥＧ ＃０に対応するＥＲＥＧ）を選択して構成することができる。しかしながら、実施形態２−１は実施形態１と独立であり得る。したがって、この場合、１つのＥＣＣＥは連続した４個のＥＰＲＢ（例えば、ＥＰＲＢ＃０、ＥＰＲＢ ＃１、ＥＰＲＢ ＃２、ＥＰＲＢ ＃３）において同一のインデックスを有するＥＲＥＧ（例えば、ＥＲＥＧ ＃０に対応するＥＲＥＧ）を選択して構成できる。
【０１４３】
実施形態１と独立な実施形態２と関連する他の例が以下に記載される。実施形態２−２によれば、連続的なインデックスのＥＲＥＧ（例えば、ＥＲＥＧ＃０、ＥＲＥＧ ＃１、ＥＲＥＧ ＃２、ＥＲＥＧ ＃３）で１つのＥＣＣＥを構成することができる。２つのＥＰＲＢで構成されるＥＰＤＣＣＨセットの場合、（i）ＥＰＲＢ ＃０からＥＲＥＧ ＃０が選択され、（ii）ＥＰＲＢ ＃１からＥＲＥＧ ＃１が選択され、（iii）ＥＰＲＢ ＃０からＥＲＥＧ ＃２が選択され、(iv)ＥＰＲＢ ＃１からＥＲＥＧ ＃３が選択され、１つのＥＣＣＥが構成され得る。しかしながら、実施形態２−２は、実施形態１と独立であり得る。この場合、（i）ＥＰＲＢ ＃０からＥＲＥＧ ＃０が選択され、（ii）ＥＰＲＢ ＃１からＥＲＥＧ ＃１、ＥＲＥＧ ＃２、ＥＲＥＧ＃３が選択され、１つのＥＣＣＥが構成され得る。
【０１４４】
同様に、実施形態２−３は、実施形態１と独立であり得る。より詳細には、ＥＰＲＢをホッピングせず、１６／ＮずつＥＲＥＧインデックスを順次に増加させながらＥＲＥＧを選択してＥＣＣＥを構成することもできる。例えば、２つのＥＰＲＢで構成されたＥＰＤＣＣＨセットで、（i）ＥＰＲＢ ＃０からＥＲＥＧ ＃０、ＥＲＥＧ ＃４、ＥＲＥＧ ＃８を選択し、（ii）ＥＰＲＢ ＃１からＥＲＥＧ ＃１２を選択して１つのＥＣＣＥが構成され得る。
【０１４５】
上記のように、実施形態１及び実施形態２は、分散型ＥＰＤＣＣＨセットでのＥＣＣＥ／ＥＲＥＧマッピング方法を提供することができる。実施形態２−１でＥＣＣＥ／ＥＲＥＧマッピング関数を＜数式１＞及び＜数式２＞により定義することができる。実施形態２−２でＥＣＣＥ／ＥＲＥＧマッピング関数を＜数式３＞及び＜数式４＞により定義することができる。実施形態２−３でＥＣＣＥ／ＥＲＥＧマッピング関数を＜数式５＞及び＜数式６＞により定義することができる。しかしながら、＜数式１＞から＜数式６＞は各々の実施形態を反映した例示的な関数的な数式を示し、実施形態２−１、実施形態２−２、実施形態２−３の概念に基づく他の形態の関数的な数式で表現できる。
【０１４６】
図１５は、少なくとも１つの実施形態に係る送受信ポイントの制御情報を転送する方法に対するフローチャートである。
【０１４７】
図１５を参照すると、送受信ポイントはサブフレームで２つ以上の物理リソースブロック（Physical Resource Block（ＰＲＢ））の対のデータ領域を通じてユーザ端末に制御情報を転送することができる。ステップＳ１５１０で、送受信ポイントは向上した制御チャネル要素（ＥＣＣＥｓ）を構成（または、形成）することができる（あるいは、ＥＣＣＥを割り当てると記載することができる）。ここで、２つ以上のＰＲＢの対それぞれのリソースエレメント（ＲＥ）は、１６個の数（例えば、０，１，２，．．．，１５）を周波数優先方式（すなわち、周波数をまず優先し、その次に時間の方式）により繰り返してインデキシングできる。同一のインデックスを有するリソースエレメント（ＲＥ）は同一の向上したリソースエレメントグループ（Enhanced Resource Element Group（ＥＲＥＧ））に含まれることができる。ＥＣＣＥそれぞれは、同一のモジュロ値を有するＥＲＥＧに対応するＥＲＥＧ（例えば、４または８個のＥＲＥＧ）を含み得る。より詳しくは、ステップＳ１５１０で、ＥＣＣＥのそれぞれは、（i）４で割った余り（例えば、０、１、２、または３）が同一な互いに異なるインデックスの４個のＥＲＥＧ、または（ii）２で割った余り（例えば、０または１）が同一な互いに異なるインデックスの８個のＥＲＥＧで構成できる。
【０１４８】
ステップＳ１５１０で、ＥＣＣＥを構成するＥＲＥＧを、２つ以上のＰＲＢに対に位置させることができる。
【０１４９】
ＰＲＢの対に割り当てられるインデックスの例は、図４から図９を参照して前述した内容を参照することができる。図４及び図７を参照すると、０〜１５までの数を周波数優先方式（すなわち周波数をまず優先しその次には時間の方式）によりＥＲＥＧをナンバリング（すなわちインデキシング）することができる。図４に示すように、シンボル基準サイクリックシフトを使用してインデキシングを遂行することができる。より詳しくは、最初のシンボルの“４００”により示されるリソースエレメント（ＲＥ）は１１（すなわち、インデックス１１）としてインデキシングされ、２番目のシンボルの隣接する“４１０”により示されるＲＥは、連続する１２（すなわち、インデックス１２）としてインデキシングできる。一方、図７に示す実施形態のように、シンボル基準サイクリックシフト無しでインデキシングが遂行できる。したがって、この場合には、図７に示すように、最初のシンボルの“７００”により示されるリソールエレメント（ＲＥ）は、１１（すなわち、インデックス１１）としてインデキシングされ、２番目シンボルの“７１０”により示されるＲＥは連続して１２（インデックス１２）としてインデキシングできる。１２としてインデキシングされたＲＥ（“７１０”）は１１としてインデキシングされたＲＥ（“７００”）と隣接しない。
【０１５０】
送受信ポイントは、（i）４で割った余り（例えば、０、１、２、または３）が同一の互いに異なるインデックスに対応するＥＲＥＧ、または（ii）２で割った余り（例えば、０または１）が同一の互いに異なるインデックスに対応するＥＲＥＧを使用してＥＣＣＥを構成することができる。
【０１５１】
例えば、４で割った余り（例えば、０、１、２、または３）が同一の互いに異なるインデックスに対応するＥＲＥＧでＥＣＣＥを構成することができる。より詳しくは、ＥＲＥＧ＃０、ＥＲＥＧ＃４、ＥＲＥＧ＃８、ＥＲＥＧ＃１２が１つのＥＣＣＥを構成することができる。ＥＲＥＧ＃１、ＥＲＥＧ＃５、ＥＲＥＧ＃９、ＥＲＥＧ＃１３で他の１つのＥＣＣＥを構成することができる。ＥＲＥＧ＃２、ＥＲＥＧ＃６、ＥＲＥＧ＃１０、ＥＲＥＧ＃１４で他の１つのＥＣＣＥを構成することができる。ＥＲＥＧ＃３、ＥＲＥＧ＃７、ＥＲＥＧ＃１１、ＥＲＥＧ＃１５で他のＥＣＣＥを構成することができる。また、ＥＣＣＥそれぞれに対応するＥＲＥＧインデックスグループは｛０，４，８，１２｝、｛１，５，９，１３｝、｛２，６，１０，１４｝、または｛３，７，１１，１５｝として表現できる。
【０１５２】
他の実施形態において、２で割った余り（例えば、０または１）が同一の互いに異なるインデックスに対応するＥＲＥＧでＥＣＣＥを構成する場合、ＥＲＥＧ＃０、ＥＲＥＧ＃２、ＥＲＥＧ＃４、ＥＲＥＧ＃６、ＥＲＥＧ＃８、ＥＲＥＧ＃１０、ＥＲＥＧ＃１２、ＥＲＥＧ＃１４が１つのＥＣＣＥを構成することができる。ＥＲＥＧ＃１、ＥＲＥＧ＃３、ＥＲＥＧ＃５、ＥＲＥＧ＃７、ＥＲＥＧ＃９、ＥＲＥＧ＃１１、ＥＲＥＧ＃１３、ＥＲＥＧ＃１５が他の１つのＥＣＣＥを構成することができる。また、各ＥＣＣＥに対応するするＥＲＥＧインデックスグループは｛０，２，４，６，８，１０，１２，１４｝または｛１，３，５，７，９，１１，１３，１５｝として表現できる。
【０１５３】
ＥＣＣＥを構成するＥＲＥＧは２つ以上のＰＲＢに対に位置させることができる。即ち、ＥＰＤＣＣＨを分散型（distributed type）に転送できる。より詳細には、送受信ポイントでＥＣＣＥを割り当てるＰＲＢの対は、分散型（distributed type）のＥＰＤＣＣＨセット（すなわち、分散型ＥＰＤＣＣＨセット）を形成することができる。
【０１５４】
送受信ポイントは周波数ダイバーシティゲイン（frequency diversity gain）が最大になるようにＥＲＥＧをＰＲＢの対に分散させてＥＣＣＥを構成（または、割り当て）することができる。このようなＥＣＣＥ構成方法は、実施形態１に従って具体化できるが、これに制限されるものではない。
【０１５５】
図１１をまた参照すると、送受信ポイントは、８個のＰＲＢ対でＥＰＲＢ ＃０から２つのＰＲＢずつホッピングしながら、ＥＰＲＢ ＃２、ＥＰＲＢ ＃４、ＥＰＲＢ ＃６で各々ＥＲＥＧを選択してＥＣＣＥを構成することができる。送受信ポイントは、ホッピング手続により決定されたＰＲＢの対（例えば、ＥＰＲＢ＃０、ＥＰＲＢ ＃２、ＥＰＲＢ ＃４、及び ＥＰＲＢ ＃６）のＥＲＥＧを使用してＥＣＣＥを構成（割り当て）することができる。より詳しくは、前述したように、送受信ポイントは、（i）４で割った余りが同一の互いに異なるインデックスに対応するＥＲＥＧで１つのＥＣＣＥを構成することができ、または、（ii）２で割った余りが同一の互いに異なるインデックスに対応するＥＲＥＧでＥＣＣＥを構成することができる。
【０１５６】
より詳しくは、ＥＰＲＢ ＃０からＥＲＥＧ＃０が選択され、ＥＰＲＢ ＃２からＥＲＥＧ ＃４が選択され、ＥＰＲＢ ＃４からＥＲＥＧ ＃８が選択され、ＥＰＲＢ＃６からＥＲＥＧ ＃１２が選択され得る。選択したＥＲＥＧは、ＥＣＣＥを構成することができる。他の実施形態において、（i）ＥＰＲＢ ＃０からＥＲＥＧ ＃１２を選択し、（ii）ＥＰＲＢ ＃２からＥＲＥＧ ＃８を選択し、（iii）ＥＰＲＢ ＃４からＥＲＥＧ ＃４を選択し、（iv）ＥＰＲＢ ＃６からＥＲＥＧ ＃０を選択してＥＣＣＥを構成することができる。
【０１５７】
ＥＲＥＧのインデックスが［０，１，２，．．．，１５］に限定されている場合、（i）４で割った余りが同一の互いに異なるインデックスに対応するＥＲＥＧの組み合わせ、または（ii）２で割った余りが同一の互いに異なるインデックスに対応するＥＲＥＧの組み合わせは限定的であり得る。このような組み合わせを考えると、ＥＣＣＥに割り当てられるＥＲＥＧのインデックス（ＥＲＥＧインデックスグループ）は、｛０，４，８，１２｝、｛１，５，９，１３｝、｛２，６，１０，１４｝、及び｛３，７，１１，１５｝のうちの１つであり得る。代りに、ＥＣＣＥに割り当てられるＥＲＥＧのインデックスは、｛０，２，４，６，８，１０，１２，１４｝及び｛１，３，５，７，９，１１，１３，１５｝のうちの１つであり得る。
【０１５８】
図１５をまた参照すると、ステップＳ１５２０で送受信ポイントは、少なくとも１つの構成されたＥＣＣＥを通じて制御情報をユーザ端末に転送することができる。
【０１５９】
ここで、制御情報は、データ領域２２０で定義される制御チャネルであるＥＰＤＣＣＨを介して転送できる。ＥＰＤＣＣＨはＰＲＢの対において少なくとも１つのＥＣＣＥに割り当てることができる。
【０１６０】
図１６は、他の実施形態に係るユーザ端末の制御情報の受信の方法に対するフローチャートである。
【０１６１】
図１６を参照すると、ユーザ端末は、サブフレームで２つ以上のＰＲＢの対のデータ領域を通じて送受信ポイントから制御情報を受信することができる。
【０１６２】
ステップＳ１６１０で、ユーザ端末は少なくとも１つのＥＣＣＥを通じて無線信号（“ラジオ信号”ということができる）を受信することができる。ここで、２つ以上のＰＲＢの対のそれぞれにおいてリソースエレメント（ＲＥ）は１６個の数（例えば、０，１，２，．．．，１５）を周波数優先方式（すなわち周波数をまず優先し次に時間の方式）により繰り返してインデキシングできる。同一のインデックスを有するリソースエレメント（ＲＥ）は、同一のＥＲＥＧに含まれることができる。少なくとも１つのＥＣＣＥのそれぞれは、同一のモジュロ値を有するＥＲＥＧに該当するＥＲＥＧを含み得る。より詳しくは、少なくとも１つのＥＣＣＥのそれぞれは、（i）４で割った余り（例えば、０、１、２、または３）が同一の互いに異なるインデックスの４個のＥＲＥＧ、または（ii）２で割った余り（例えば、０または１）が同一の互いに異なるインデックスの８個のＥＲＥＧで構成できる。そして、ステップＳ１６２０で、ユーザ端末は、受信された無線信号から制御情報を取得することができる。
【０１６３】
ステップＳ１６１０で、ＥＣＣＥを形成するＥＲＥＧは、２つ以上のＰＲＢの対に位置させることができる。
【０１６４】
ＰＲＢの対に割り当てられるインデックスの例は、図４から図９を参照して前述した内容を参照することができる。図４及び図７を参照すると、０〜１５までの数を周波数優先方式（すなわち、周波数をまず優先し、その次は時間の方式）によりＥＲＥＧをナンバリング（すんわち、インデキシング）することができる。図４に図示された実施形態において、シンボル基準サイクリックシフトを使用してインデキシングを遂行することができる。より詳しくは、図４に示すように、最初のシンボルの“４００”で示されるリソースエレメント（ＲＥ）は１１（すなわち、インデックス１１）としてインデキシングされた後、２番目のシンボルの“４１０”で示される隣接するＲＥは、連続して１２（すなわち、インデックス１２）としてインデキシングできる。一方、図７に示すように、シンボル基準サイクリックシフト無しでインデキシングが遂行できる。したがって、この場合、最初のシンボルの“７００”で示されるリソースエレメント（ＲＥ）は、１１（すなわち、インデックス１１）としてインデキシングされた後、２番目のシンボルの“７１０”で示されるＲＥは連続して１２（すなわちインデックス１２）としてインデキシングできる。１２としてインデキシングされたＲＥ（“７１０”）は、１１としてインデキシングされたＲＥ（“７００”）と隣接しない。
【０１６５】
ＥＣＣＥは、（i）４（例えば、０、１、２、または３）で割った余りが同一の互いに異なるインデックスに対応するＥＲＥＧ、または（ii）２で割った余り（例えば、０または１）が同一の互いに異なるインデックスに対応するＥＲＥＧで構成できる。言い換えると、このようなＥＲＥＧはＥＣＣＥ構成のために割り当てられ得る。
【０１６６】
例えば、４で割った余り（例えば、０、１、２、または３）が同一の互いに異なるインデックスに対応するＥＲＥＧで、ＥＣＣＥを構成することができる。より詳しくは、ＥＲＥＧ＃０、ＥＲＥＧ＃４、ＥＲＥＧ＃８、ＥＲＥＧ＃１２が１つのＥＣＣＥを構成することができる。ＥＲＥＧ＃１、ＥＲＥＧ＃５、ＥＲＥＧ＃９、ＥＲＥＧ＃１３で他の１つのＥＣＣＥを構成することができる。ＥＲＥＧ＃２、ＥＲＥＧ＃６、ＥＲＥＧ＃１０、ＥＲＥＧ＃１４で他の１つのＥＣＣＥを構成することができる。ＥＲＥＧ＃３、ＲＥＧ＃７、ＥＲＥＧ＃１１、ＥＲＥＧ＃１５で他のＥＣＣＥを構成することができる。また、各ＥＣＣＥに該当するＥＲＥＧインデックスグループは｛０，４，８，１２｝、｛１，５，９，１３｝、｛２，６，１０，１４｝、または｛３，７，１１，１５｝として表現できる。
【０１６７】
他の実施例において、２で割った余り（例えば、０または１）が同一の互いに異なるインデックスに対応するＥＲＥＧでＥＣＣＥを構成する場合、ＥＲＥＧ＃０、ＥＲＥＧ＃２、ＥＲＥＧ＃４、ＥＲＥＧ＃６、ＥＲＥＧ＃８、ＥＲＥＧ＃１０、ＥＲＥＧ＃１２、ＥＲＥＧ＃１４が１つのＥＣＣＥを構成することができる。ＥＲＥＧ＃１、ＥＲＥＧ＃３、ＥＲＥＧ＃５、ＥＲＥＧ＃７、ＥＲＥＧ＃９、ＥＲＥＧ＃１１、ＥＲＥＧ＃１３、ＥＲＥＧ＃１５が他の１つのＥＣＣＥを構成することができる。また、各ＥＣＣＥに該当するＥＲＥＧインデックスグループは｛０，２，４，６，８，１０，１２，１４｝または｛１，３，５，７，９，１１，１３，１５｝として表現できる。
【０１６８】
ＥＣＣＥを構成するＥＲＥＧは、２つ以上のＰＲＢの対に位置させることができる。即ち、ＥＰＤＣＣＨを分散型（distributed type）に転送することができる。送受信ポイントでＥＣＣＥを割り当てるＰＲＢの対は、分散型（distributed type）のＥＰＤＣＣＨセット（すなわち、分散型ＥＰＤＣＣＨセット）を形成することができる。
【０１６９】
周波数ダイバーシティゲイン（frequency diversity gain）が最大になるようにＥＲＥＧをＰＲＢの対に分散させてＥＣＣＥを構成（または、割り当て）することができる。このようなＥＣＣＥ構成方法は実施形態１に従って具体化できるが、これに制限されるものではない。
【０１７０】
図１１をまた参照すると、ＥＣＣＥは８個のＰＲＢの対においてＥＰＲＢ ＃０から２つのＰＲＢずつホッピングしながら、ＥＰＲＢ ＃２、ＥＰＲＢ ＃４、ＥＰＲＢ ＃６で各々ＥＲＥＧを選択して構成できる。ＥＣＣＥは、‘ホッピング手続により決定されるＰＲＢの対’（例えば、ＥＰＲＢ  ＃０、ＥＰＲＢ  ＃２、ＥＰＲＢ  ＃４およびＥＰＲＢ  ＃６）により構成できる。より詳しくは、前述したように、ＥＣＣＥは、、（i）４で割った余りが同一の互いに異なるインデックスに対応するＥＲＥＧ、または、（ii）２で割った余りが同一の互いに異なるインデックスに対応するＥＲＥＧを選択して構成できる。
【０１７１】
より詳しくは、ＥＰＲＢ ＃０からＥＲＥＧ＃０が選択され、ＥＰＲＢ ＃２からＥＲＥＧ ＃４が選択され、ＥＰＲＢ ＃４からＥＲＥＧ ＃８が選択され、ＥＰＲＢ＃６からＥＲＥＧ ＃１２が選択され得る。選択したＥＲＥＧは、ＥＣＣＥを構成することができる。他の実施形態において、（i）ＥＰＲＢ ＃０からＥＲＥＧ ＃１２を選択し、（ii）ＥＰＲＢ ＃２からＥＲＥＧ ＃８を選択し、（iii）ＥＰＲＢ ＃４からＥＲＥＧ ＃４を選択し、（iv）ＥＰＲＢ ＃６からＥＲＥＧ ＃０を選択してＥＣＣＥを構成することができる。
【０１７２】
ＥＲＥＧのインデックスが［０，１，２，．．．，１５］に限定されている場合、（i）４で割った余りが同一の互いに異なるインデックスに対応するＥＲＥＧの組み合わせ、または（ii）２で割った余りが同一の互いに異なるインデックスに対応するＥＲＥＧの組み合わせは限定的でありうる。このような組み合わせを考えると、ＥＣＣＥに割り当てられるＥＲＥＧのインデックス（すなわち、ＥＲＥＧインデックスグループ）は｛０，４，８，１２｝、｛１，５，９，１３｝、｛２，６，１０，１４｝、及び｛３，７，１１，１５｝のうちの１つでありうる。代りに、ＥＣＣＥに割り当てられるＥＲＥＧのインデックスは｛０，２，４，６，８，１０，１２，１４｝及び｛１，３，５，７，９，１１，１３，１５｝のうちの１つでありうる。
【０１７３】
また図１６を参照すると、ステップＳ１６２０で、ユーザ端末は制御情報を取得することができる。
【０１７４】
図１７は、いくつかの実施形態に係る送受信ポイントの構成を示す図である。
【０１７５】
図１７を参照すると、本実施形態に係る送受信ポイント１７００は、サブフレームで２つ以上のＰＲＢの対のデータ領域を通じてユーザ端末に制御情報を転送することができる。本実施形態に係る送受信ポイント１７００は、制御部１７１０、送信部１７２０、及び受信部１７３０を含むことができる。
【０１７６】
制御部１７１０は、ＥＣＣＥ（または以降において“割り当てられたＥＣＣＥ”という）を構成（または生成）することができる。より詳細には、２つ以上のＰＲＢの対のそれぞれでリソースエレメント（ＲＥ）を、１６個の数（例えば、０，１，２，．．．，１５）を用いて周波数優先方式（すなわち、周波数をまず優先しその次は時間の方式）により繰り返してインデキシングできる。同一なインデックスを有するＲＥは同一の向上したリソースエレメントグループ（Enhanced Resource Element Group（ＥＲＥＧ））に含まれることができる。ＥＣＣＥそれぞれは、同一なモジュロ値を有するＥＲＥＧインデックスに対応するＥＲＥＧ（例えば、４または８ＥＲＥＧ）を含み得る。より詳しくは、制御部１７１０は、（i）４で割った余り（例えば、０、１、２、または３）が同一の互いに異なるインデックスの４個のＥＲＥＧ、または（ii）２で割った余り（例えば、０または１）が同一の互いに異なるインデックスの８個のＥＲＥＧで構成することができる。
【０１７７】
制御部１７１０は、ＥＣＣＥを構成するＥＲＥＧは２つ以上のＰＲＢの対に位置するように‘ＥＣＣＥ構成’（または、ＥＣＣＥ割り当てという）を制御することができる。即ち、ＥＰＤＣＣＨを分散型（distributed type）に転送することができる。より詳しくは、送受信ポイント１７００でＥＣＣＥを割り当てるＰＲＢの対は、分散型（distributed type）のＥＰＤＣＣＨセット（すなわち、分散型ＰＤＣＣＨセット）を形成することができる。
【０１７８】
ＥＲＥＧのインデックスが［０，１，２，．．．，１５］に限定されている場合、（i）４で割った余りが同一の互いに異なるインデックスに対応するＥＲＥＧの組み合わせ、または（ii）２で割った余りが同一な互いに異なるインデックスに対応するＥＲＥＧの組み合わせは限定的でありうる。このような組み合わせを考えると、ＥＣＣＥに割り当てられるＥＲＥＧのインデックス（“ＥＲＥＧインデックスグループ”という場合がある）は、｛０，４，８，１２｝、｛１，５，９，１３｝、｛２，６，１０，１４｝、及び｛３，７，１１，１５｝のうちの１つであり得る。代りに、ＥＣＣＥに割り当てられるＥＲＥＧのインデックスグループは、｛０，２，４，６，８，１０，１２，１４｝及び｛１，３，５，７，９，１１，１３，１５｝のうちの１つでありうる。
【０１７９】
また、制御部１７１０は、ＥＰＤＣＣＨ転送のためのＥＣＣＥ／ＥＲＥＧマッピングを遂行する方法及び／又はある分散型ＥＰＤＣＣＨセットでのＥＣＣＥインデキシングを遂行する方法に従い、送受信ポイント１７００の動作を制御する。
【０１８０】
送信部１７２０は、少なくとも１つのＥＣＣＥを通じて制御情報をユーザ端末に転送する。
【０１８１】
送信部１７２０と受信部１７３０は、前述した本実施形態を遂行することに必要とする信号やメッセージ、データ及び情報をユーザ端末と関連して送受信することができる。
【０１８２】
図１８は、一部の実施形態に係るユーザ端末の構成を示す図である。
【０１８３】
図１８を参照すると、本実施形態に係るユーザ端末１８００はサブフレームで２つ以上のＰＲＢの対のデータ領域を通じて送受信ポイント（例えば、送受信ポイント１７００）から制御情報を受信することができる。ユーザ端末１８００は、受信部１８１０、制御部１８２０、及び送信部１８３０を含むことができる。
【０１８４】
受信部１８１０は、少なくとも１つのＥＣＣＥを通じて無線信号を受信することができる。ここで、２つ以上のＰＲＢの対のそれぞれでリソースエレメント（ＲＥ）は１６個の数（例えば、０，１，２，．．．，１５）を用いて、周波数優先方式（すなわち、周波数をまず優先し次に時間の方式）により繰り返してインデキシングできる。同一のインデックスを有するリソースエレメント（ＲＥ）は同一のＥＲＥＧに含まれることができる。少なくとも１つのＥＣＣＥのそれぞれは同一のモジュロ値を有するＥＲＥＧインデックスに該当するＥＲＥＧらを含む。より詳しくは、少なくとも１つのＥＣＣＥのそれぞれは、（i）４で割った余り（例えば、０、１、２、または３）が同一の互いに異なるインデックスの４個のＥＲＥＧ、または（ii）２で割った余り（例えば、０または１）が同一の互いに異なるインデックスの８個のＥＲＥＧで構成できる。
【０１８５】
ＥＣＣＥを形成するＥＲＥＧは２つ以上のＰＲＢに対に位置させることができる。より詳しくは、送受信ポイント１７００でＥＣＣＥを割り当てるＰＲＢの対は分散型（distributed type）のＥＰＤＣＣＨセット（すなわち、分散型ＰＤＣＣＨセット）を形成することができる。
【０１８６】
ＥＲＥＧのインデックスが［０，１，２，．．．，１５］に限定されている場合、（i）４で割った余りが同一の互いに異なるインデックスに対応するＥＲＥＧの組み合わせ、または（ii）２で割った余りが同一の互いに異なるインデックスに対応するＥＲＥＧの組み合わせは限定的でありうる。このような組み合わせを見ると、ＥＣＣＥに割り当てられるＥＲＥＧのインデックス（すなわち、“ＥＲＥＧインデックスグループ”）は、｛０，４，８，１２｝、｛１，５，９，１３｝、｛２，６，１０，１４｝、及び｛３，７，１１，１５｝のうちの１つでありうる。代りに、ＥＣＣＥに割り当てられるＥＲＥＧのインデックスグループは｛０，２，４，６，８，１０，１２，１４｝及び｛１，３，５，７，９，１１，１３，１５｝のうちの１つでありうる。
【０１８７】
制御部１８２０は、受信した無線信号から制御情報を取得する。また、制御部１８２０は、上述の実施形態を実施するために必要な処理（すなわち、ユーザ端末１８００の処理）を制御する。より詳細には、制御部１８２０は、ＥＰＤＣＣＨ転送のためのＥＣＣＥ／ＥＲＥＧマッピングを遂行する方法及び／又は任意の分散型ＥＰＤＣＣＨセットでのＥＣＣＥインデキシングを遂行する方法に従いユーザ端末１８００の動作を制御する。
【０１８８】
受信部１８１０と送信部１８３０は、前述した本実施形態を遂行することに必要とする信号やメッセージ、データ、及び情報を送受信ポイントと関連して送受信することができる。
【０１８９】
前述した実施形態で言及された技術標準内容は本明細書に対する簡略な説明のために省略されたが、技術標準の関連内容は本明細書の一部を構成することができる。したがって、本明細書及び／又は請求範囲に標準関連内容を追加することは本発明の範囲に含まれるものとして解釈されるべきである。
【０１９０】
より詳しくは、含まれた文書は公開された文書の一部で本明細書の一部を構成することができる。したがって、本明細書及び／又は請求範囲に標準関連内容及び標準文書の一部を追加することは本発明の範囲に該当するものとして解釈されるべきである。
【０１９１】
以上の説明は、本発明の技術思想を例示的に説明したことに過ぎないものであって、本発明の本質的な特性から外れない範囲で多様な修正、変形および置換が可能である。したがって、本発明に開示された実施形態は本発明の技術思想を限定するためのものではなく、説明するためのものであり、本発明の技術思想の範囲はこのような実施形態に限定されるものではない。本発明の保護範囲は請求範囲により解釈されなければならず、それと同等な範囲内にある全ての技術思想は本発明の権利範囲に含まれるものと解釈されるべきである。
【０１９２】
他の出願への参照
【０１９３】
本特許出願は、２０１２年９月１８日付で韓国に出願した特許出願番号第１０−２０１２−０１０３５８４号、及び２０１２年１２月１３日付で韓国に出願した特許出願番号第１０−２０１２−０１４５３６８号に対し、３５Ｕ．Ｓ．Ｃ§１１９（ａ）により優先権を主張し、その全ての内容は参考文献として本特許出願に併合される。
【図１】
0006027247.tif 000007
【図２】
0006027247.tif 000008
【図３】
0006027247.tif 000009
【図４】
0006027247.tif 000010
【図５】
0006027247.tif 000011
【図６】
0006027247.tif 000012
【図７】
0006027247.tif 000013
【図８】
0006027247.tif 000014
【図９】
0006027247.tif 000015
【図１０】
0006027247.tif 000016
【図１１】
0006027247.tif 000017
【図１２】
0006027247.tif 000018
【図１３】
0006027247.tif 000019
【図１４】
0006027247.tif 000020
【図１５】
0006027247.tif 000021
【図１６】
0006027247.tif 000022
【図１７】
0006027247.tif 000023
【図１８】
0006027247.tif 000024